(57)【特許請求の範囲】
【請求項１】
下記一般式（１）で表されるナフタレン誘導体。
【化１】
0005556773.tif 000039
（式中、環構造Ａｒ１、Ａｒ２はベンゼン環又はナフタレン環を表す。ｎはゲルパーミエーションクロマトグラフィーによるポリスチレン換算重量平均分子量が１００，０００以下となるような任意の自然数を表す。）
【請求項２】
下記式（３）
【化２】
0005556773.tif 000040
（式中、環構造Ａｒ１、Ａｒ２はベンゼン環又はナフタレン環を表す。）
で示されるケトン化合物と、
下記式（４）
【化９】
0005556773.tif 000041
で示される１，１’−ビ−２−ナフトールと、
芳香族化合物として、ベンゼン、ナフタレン、フェナントレン、アントラセン、ピレン、ビフェニル、フェニルナフタレン、フェニルアントラセン、フェニルフェナントレン、フェニルピレン、ビナフチル、ナフチルアントラセン、ナフチルフェナントレン、ナフチルピレン、ビアントラセン、アントラセニルフェナントレン、アントラセニルピレン、ビフェナントレン、フェナントレニルピレン、ビピレン、ジフェニルエーテル、フェニルナフチルエーテル、フェニルアントラセニルエーテル、フェニルフェナントレニルエーテル、フェニルピレニルエーテル、ジナフチルエーテル、ナフチルアントラセニルエーテル、ナフチルフェナントレニルエーテル、ナフチルピレニルエーテル、ジアントラセニルエーテル、アントラセニルフェナントレニルエーテル、アントラセニルピレニルエーテル、ジフェナントレニルエーテル、フェナントレニルピレニルエーテル、ジピレニルエーテルの各種位置異性体、及び下記式（４ａ）
【化３】
0005556773.tif 000042
（式中、Ｘは単結合、又は炭素数１〜２０のアルキレン基又はアラルキレン基を表す。ｍは０又は１を表す。）
で表される化合物、並びに上記芳香族化合物中の水素原子がハロゲン原子、炭素数１〜２０の一価炭化水素基、水酸基、炭素数１〜２０のアルコキシ基、ニトロ基又はシアノ基で置換された化合物から選ばれる縮合可能な化合物と
を脱水縮合反応させることによって得られ、下記式（２）
【化４】
0005556773.tif 000043
（式中、環構造Ａｒ１、Ａｒ２はベンゼン環又はナフタレン環を表す。）
で表される部分構造を有するナフタレン誘導体。
【請求項３】
下記式（３）で示されるケトン化合物と下記式（４）で示される１，１’−ビ−２−ナフトールとを脱水縮合反応させることを特徴とする下記一般式（１）で表されるナフタレン誘導体の製造方法。
【化５】
0005556773.tif 000044
（式中、環構造Ａｒ１、Ａｒ２はベンゼン環又はナフタレン環を表す。ｎはゲルパーミエーションクロマトグラフィーによるポリスチレン換算重量平均分子量が１００，０００以下となるような任意の自然数を表す。）
【請求項４】
下記式（３）
【化６】
0005556773.tif 000045
（式中、環構造Ａｒ１、Ａｒ２はベンゼン環又はナフタレン環を表す。）
で示されるケトン化合物と、
下記式（４）
【化１０】
0005556773.tif 000046
で示される１，１’−ビ−２−ナフトールと、
芳香族化合物として、ベンゼン、ナフタレン、フェナントレン、アントラセン、ピレン、ビフェニル、フェニルナフタレン、フェニルアントラセン、フェニルフェナントレン、フェニルピレン、ビナフチル、ナフチルアントラセン、ナフチルフェナントレン、ナフチルピレン、ビアントラセン、アントラセニルフェナントレン、アントラセニルピレン、ビフェナントレン、フェナントレニルピレン、ビピレン、ジフェニルエーテル、フェニルナフチルエーテル、フェニルアントラセニルエーテル、フェニルフェナントレニルエーテル、フェニルピレニルエーテル、ジナフチルエーテル、ナフチルアントラセニルエーテル、ナフチルフェナントレニルエーテル、ナフチルピレニルエーテル、ジアントラセニルエーテル、アントラセニルフェナントレニルエーテル、アントラセニルピレニルエーテル、ジフェナントレニルエーテル、フェナントレニルピレニルエーテル、ジピレニルエーテルの各種位置異性体、及び下記式（４ａ）
【化７】
0005556773.tif 000047
（式中、Ｘは単結合、又は炭素数１〜２０のアルキレン基又はアラルキレン基を表す。ｍは０又は１を表す。）
で表される化合物、並びに上記芳香族化合物中の水素原子がハロゲン原子、炭素数１〜２０の一価炭化水素基、水酸基、炭素数１〜２０のアルコキシ基、ニトロ基又はシアノ基で置換された化合物から選ばれる縮合可能な化合物と
を脱水縮合反応させることを特徴とする下記一般式（２）で表される部分構造を有するナフタレン誘導体の製造方法。
【化８】
0005556773.tif 000048
（式中、環構造Ａｒ１、Ａｒ２はベンゼン環又はナフタレン環を表す。）
【請求項５】
請求項１又は２に記載のナフタレン誘導体、又は該ナフタレン誘導体を繰り返し単位の一部として含有する高分子化合物を用いたレジスト下層膜材料。
【請求項６】
更に、有機溶媒を含有する請求項５に記載のレジスト下層膜材料。
【請求項７】
更に、架橋剤及び酸発生剤を含有する請求項５又は６に記載のレジスト下層膜材料。
【請求項８】
リソグラフィーで用いられる少なくとも三層を有する多層レジスト膜のレジスト下層膜の形成方法であって、請求項５乃至７のいずれか１項に記載のレジスト下層膜材料を基板上にコーティングし、そのコーティングしたレジスト下層膜材料を１００℃を超え６００℃以下の温度で、１０〜６００秒間の範囲で熱処理して硬化させることを特徴とするレジスト下層膜形成方法。
【請求項９】
スピンコート法で基板上にコーティングすることを特徴とする請求項８に記載のレジスト下層膜形成方法。
【請求項１０】
リソグラフィーにより基板にパターンを形成する方法であって、少なくとも、基板上に請求項８又は９に記載のレジスト下層膜形成方法によりレジスト下層膜を形成し、そのレジスト下層膜の上に珪素原子を含有するレジスト中間層膜材料を用いてレジスト中間層膜を形成し、そのレジスト中間層膜の上にフォトレジスト組成物からなるレジスト上層膜材料を用いてレジスト上層膜を形成して、上記レジスト上層膜のパターン回路領域を露光した後、現像液で現像して上記レジスト上層膜にレジストパターンを形成し、得られたレジストパターンをエッチングマスクにして上記レジスト中間層膜をエッチングし、得られたレジスト中間層膜パターンをエッチングマスクにして上記レジスト下層膜をエッチングし、得られたレジスト下層膜パターンをエッチングマスクにして基板をエッチングして基板にパターンを形成することを特徴とするパターン形成方法。
【請求項１１】
リソグラフィーにより基板にパターンを形成する方法であって、少なくとも、基板上に請求項８又は９に記載のレジスト下層膜形成方法によりレジスト下層膜を形成し、そのレジスト下層膜の上に珪素酸化膜、珪素窒化膜及び珪素酸化窒化膜から選ばれる無機ハードマスク中間層膜を形成し、その無機ハードマスク中間層膜の上にフォトレジスト組成物からなるレジスト上層膜材料を用いてレジスト上層膜を形成して、上記レジスト上層膜のパターン回路領域を露光した後、現像液で現像して上記レジスト上層膜にレジストパターンを形成し、得られたレジストパターンをエッチングマスクにして上記無機ハードマスク中間層膜をエッチングし、得られた無機ハードマスク中間層膜パターンをエッチングマスクにして上記レジスト下層膜をエッチングし、得られたレジスト下層膜パターンをエッチングマスクにして基板をエッチングして基板にパターンを形成することを特徴とするパターン形成方法。
【請求項１２】
リソグラフィーにより基板にパターンを形成する方法であって、少なくとも、基板上に請求項８又は９に記載のレジスト下層膜形成方法によりレジスト下層膜を形成し、そのレジスト下層膜の上に珪素酸化膜、珪素窒化膜及び珪素酸化窒化膜から選ばれる無機ハードマスク中間層膜を形成し、その無機ハードマスク中間層膜の上に有機反射防止膜を形成し、その有機反射防止膜の上にフォトレジスト組成物からなるレジスト上層膜材料を用いてレジスト上層膜を形成して、上記レジスト上層膜のパターン回路領域を露光した後、現像液で現像して上記レジスト上層膜にレジストパターンを形成し、得られたレジストパターンをエッチングマスクにして上記有機反射防止膜と上記無機ハードマスク中間層膜をエッチングし、得られた無機ハードマスク中間層膜パターンをエッチングマスクにして上記レジスト下層膜をエッチングし、得られたレジスト下層膜パターンをエッチングマスクにして基板をエッチングして基板にパターンを形成することを特徴とするパターン形成方法。
【請求項１３】
無機ハードマスク中間層膜が、ＣＶＤ法あるいはＡＬＤ法によって形成されることを特徴とする請求項１１又は１２に記載のパターン形成方法。
【請求項１４】
レジスト上層膜材料が、珪素原子含有ポリマーを含まず、上記中間層膜をマスクにして行うレジスト下層膜のエッチングを酸素ガス又は水素ガスを主体とするエッチングガスを用いて行うことを特徴とする請求項１１乃至１３のいずれか１項に記載のパターン形成方法。
【発明の詳細な説明】
【技術分野】
【０００１】
本発明は、ナフタレン誘導体及びその製造方法に関する。また、本発明は、半導体素子などの製造工程における微細加工に用いられる反射防止膜として有効なレジスト下層膜を形成するためのレジスト下層膜材料、下層膜形成方法及びこれを用いた遠紫外線、ＫｒＦエキシマレーザー光（２４８ｎｍ）、ＡｒＦエキシマレーザー光（１９３ｎｍ）、Ｆ2レーザー光（１５７ｎｍ）、Ｋｒ2レーザー光（１４６ｎｍ）、Ａｒ2レーザー光（１２６ｎｍ）、軟Ｘ線（ＥＵＶ、１３．５ｎｍ）、電子線（ＥＢ）、Ｘ線露光等に好適なパターン形成方法に関するものである。
【背景技術】
【０００２】
近年、ＬＳＩの高集積化と高速度化に伴い、パターンルールの微細化が求められている中、現在汎用技術として用いられている光露光を用いたリソグラフィーにおいては、光源の波長に由来する本質的な解像度の限界に近づきつつある。
【０００３】
レジストパターン形成の際に使用するリソグラフィー用の光源として、水銀灯のｇ線（４３６ｎｍ）もしくはｉ線（３６５ｎｍ）を光源とする光露光が広く用いられており、更なる微細化のための手段として、露光光を短波長化する方法が有効とされてきた。このため、６４ＭビットＤＲＡＭ加工方法の量産プロセスには、露光光源としてｉ線（３６５ｎｍ）に代わって短波長のＫｒＦエキシマレーザー（２４８ｎｍ）が利用された。しかし、更に微細な加工技術（加工寸法が０．１３μｍ以下）を必要とする集積度１Ｇ以上のＤＲＡＭの製造には、より短波長の光源が必要とされ、特にＡｒＦエキシマレーザー（１９３ｎｍ）を用いたリソグラフィーが検討されてきている。
【０００４】
一方、従来、段差基板上に高アスペクト比のパターンを形成するには二層プロセスが優れていることが知られており、更に、二層レジスト膜を一般的なアルカリ現像液で現像するためには、水酸基やカルボキシル基等の親水基を有する高分子シリコーン化合物が必要である。
【０００５】
シリコーン系化学増幅ポジ型レジスト材料としては、安定なアルカリ可溶性シリコーンポリマーであるポリヒドロキシベンジルシルセスキオキサンのフェノール性水酸基の一部をｔ−Ｂｏｃ基で保護したものをベース樹脂として使用し、これと酸発生剤とを組み合わせたＫｒＦエキシマレーザー用シリコーン系化学増幅ポジ型レジスト材料が提案された（特許文献１、非特許文献１等参照）。また、ＡｒＦエキシマレーザー用としては、シクロヘキサンカルボン酸を酸不安定基で置換したタイプのシルセスキオキサンをベースにしたポジ型レジスト材料が提案されている（特許文献２、特許文献３、非特許文献２等参照）。更に、Ｆ2レーザー用としては、ヘキサフルオロイソプロピルアルコールを溶解性基として持つシルセスキオキサンをベースにしたポジ型レジスト材料が提案されている（特許文献４等参照）。上記ポリマーは、トリアルコキシシラン、又はトリハロゲン化シランの縮重合によるラダー骨格を含むポリシルセスキオキサンを主鎖に含むものである。
【０００６】
珪素が側鎖にペンダントされたレジスト用ベースポリマーとしては、珪素含有（メタ）アクリルエステル系ポリマーが提案されている（特許文献５、非特許文献３等参照）。
【０００７】
二層プロセスのレジスト下層膜としては、酸素ガスによるエッチングが可能な炭化水素化合物であり、更にその下の基板をエッチングする場合におけるマスクになるため、高いエッチング耐性を有することが必要である。酸素ガスエッチングにおいては、珪素原子を含まない炭化水素のみで構成される必要がある。また、上層の珪素含有レジスト膜の線幅制御性を向上させ、定在波によるパターン側壁の凹凸とパターンの崩壊を低減させるためには、反射防止膜としての機能も有し、具体的にはレジスト下層膜からレジスト上層膜内への反射率を１％以下に抑える必要がある。
【０００８】
ここで、最大５００ｎｍの膜厚までの反射率を計算した結果を図２，３に示す。露光波長は１９３ｎｍ、レジスト上層膜のｎ値を１．７４、ｋ値を０．０２と仮定し、図２ではレジスト下層膜のｋ値を０．３に固定し、縦軸にｎ値を１．０〜２．０、横軸に膜厚０〜５００ｎｍの範囲で変動させたときの基板反射率を示す。膜厚が３００ｎｍ以上の二層プロセス用レジスト下層膜を想定した場合、レジスト上層膜と同程度かあるいはそれよりも少し屈折率が高いｎ値が１．６〜１．９の範囲で反射率を１％以下にできる最適値が存在する。
【０００９】
また、図３では、レジスト下層膜のｎ値を１．５に固定し、ｋ値を０〜０．８の範囲で変動させたときの反射率を示す。膜厚が３００ｎｍ以上の二層プロセス用レジスト下層膜を想定した場合、ｋ値が０．２４〜０．１５の範囲で反射率を１％以下にすることが可能である。一方、４０ｎｍ程度の薄膜で用いられる単層レジスト用の反射防止膜の最適ｋ値は０．４〜０．５であり、３００ｎｍ以上で用いられる二層プロセス用のレジスト下層膜の最適ｋ値とは異なる。二層プロセス用のレジスト下層膜では、より低いｋ値、即ちより高透明なレジスト下層膜が必要であることが示されている。
【００１０】
ここで、波長１９３ｎｍ用のレジスト下層膜材料として、非特許文献４に紹介されているようにポリヒドロキシスチレンとアクリル酸エステルの共重合体が検討されている。ポリヒドロキシスチレンは１９３ｎｍに非常に強い吸収を持ち、そのもの単独ではｋ値が０．６前後と高い値である。そこで、ｋ値が殆ど０であるアクリル酸エステルと共重合させることによって、ｋ値を０．２５前後に調整しているのである。
【００１１】
しかしながら、ポリヒドロキシスチレンに対して、アクリル酸エステルの基板エッチングにおけるエッチング耐性は弱く、しかもｋ値を下げるためにかなりの割合のアクリル酸エステルを共重合せざるを得ず、結果的に基板エッチングの耐性はかなり低下する。エッチングの耐性は、エッチング速度だけでなく、エッチング後の表面ラフネスの発生にも現れてくる。アクリル酸エステルの共重合によってエッチング後の表面ラフネスの増大が深刻なほど顕著になっている。
【００１２】
一方、珪素を含まない単層レジスト膜をレジスト上層膜、その下に珪素を含有するレジスト中間層膜、更にその下に有機膜のレジスト下層膜を積層する三層プロセスが提案されている（例えば、非特許文献５参照）。一般的には珪素含有レジストより単層レジストの方が解像性に優れ、三層プロセスでは高解像な単層レジストを露光イメージング層として用いることができる。レジスト中間層膜としては、スピンオングラス（ＳＯＧ）膜が用いられ、多くのＳＯＧ膜が提案されている。
【００１３】
ここで三層プロセスにおける基板反射を抑えるための最適な下層膜の光学定数は二層プロセスにおけるそれとは異なっている。基板反射をできるだけ抑え、具体的には１％以下にまで低減させる目的は二層プロセスも三層プロセスも変わらないのであるが、二層プロセスはレジスト下層膜だけに反射防止効果を持たせるのに対して、三層プロセスはレジスト中間層膜とレジスト下層膜のどちらか一方あるいは両方に反射防止効果を持たせることができる。
【００１４】
反射防止効果を付与させた珪素含有層材料が、特許文献６、特許文献７に提案されている。一般的に単層の反射防止膜よりも多層の反射防止膜の方が反射防止効果は高く、光学材料の反射防止膜として広く工業的に用いられている。レジスト中間層膜とレジスト下層膜の両方に反射防止効果を付与させることによって高い反射防止効果を得ることができる。
三層プロセスにおいて珪素含有レジスト中間層膜に反射防止膜としての機能を持たせることができれば、レジスト下層膜に二層プロセスの時のような反射防止膜としての最高の効果は特に必要がない。三層プロセスの場合のレジスト下層膜としては、反射防止膜としての効果よりも基板加工における高いエッチング耐性が要求される。
そのために、芳香族基を多く含有し、エッチング耐性が高いノボラック樹脂が三層プロセス用のレジスト下層膜として用いられてきた。
【００１５】
ここで、図４にレジスト中間層膜のｋ値を変化させたときの基板反射率を示す。
レジスト中間層膜のｋ値として０．２以下の低い値と、適切な膜厚設定によって、１％以下の十分な反射防止効果を得ることができる。
通常反射防止膜として、膜厚１００ｎｍ以下で反射を１％以下に抑えるためにはｋ値が０．２以上であることが必要であるが（図３参照）、レジスト下層膜である程度の反射を抑えることができる三層レジスト膜のレジスト中間層膜としては０．２より低い値のｋ値が最適値となる。
【００１６】
次に、レジスト下層膜のｋ値が０．２の場合と０．６の場合の、レジスト中間層膜とレジスト下層膜の膜厚を変化させたときの反射率変化を図５と図６に示す。
図５のｋ値が０．２のレジスト下層膜は、二層プロセスに最適化されたレジスト下層膜を想定しており、図６のｋ値が０．６のレジスト下層膜は、波長１９３ｎｍにおけるノボラックやポリヒドロキシスチレンのｋ値に近い値である。
レジスト下層膜の膜厚は基板のトポグラフィーによって変動するが、レジスト中間層膜の膜厚は殆ど変動せず、設定した膜厚で塗布できると考えられる。
【００１７】
ここで、レジスト下層膜のｋ値が高い方（０．６の場合）が、より薄膜で反射を１％以下に抑えることができる。レジスト下層膜のｋ値が０．２の場合、膜厚２５０ｎｍでは反射を１％にするためにレジスト中間層膜の膜厚を厚くしなければならない。しかし、このようにレジスト中間層膜の膜厚を上げると、レジスト中間層膜を加工するときのドライエッチング時に最上層のレジスト膜に対する負荷が大きく、好ましいことではない。
【００１８】
図５と図６は、露光装置のレンズのＮＡが０．８５のドライ露光の場合の反射であるが、三層プロセス用のレジスト中間層膜のｎ、ｋ値と膜厚を最適化することによって、レジスト下層膜のｋ値によらずに１％以下の反射率にすることができることが示されている。ところが、液浸リソグラフィーによって投影レンズのＮＡが１．０を超え、レジスト膜だけでなくレジスト膜の下の反射防止膜に入射する光の角度が浅くなってきている。反射防止膜は、膜自体の吸収だけでなく、光の干渉効果による打ち消しの作用を用いて反射を抑えている。斜めの光は光の干渉効果が小さくなるため、反射が増大する。三層プロセスの膜の中で光の干渉作用を用いて反射防止を行っているのはレジスト中間層膜である。レジスト下層膜は干渉作用を用いるには十分に厚いために干渉効果による打ち消し合いによる反射防止効果はない。レジスト下層膜表面からの反射を抑える必要があり、そのためにはレジスト下層膜のｋ値を０．６より小さく、ｎ値を上層のレジスト中間層膜に近い値にしなければならない。ｋ値が小さすぎて透明性が高すぎると、基板からの反射も生じてくるため、液浸露光のＮＡ１．３の場合、ｋ値は０．２５〜０．４８程度が最適となる。ｎ値は中間層、下層共にレジストのｎ値１．７に近い値が目標値となる。
【００１９】
ベンゼン環構造は吸収が非常に強く、これを含むクレゾールノボラックやポリヒドロキシスチレンのｋ値は０．６を超える。ベンゼン環よりも波長１９３ｎｍにおける透明性が高く、エッチング耐性が高いものの一つにナフタレン環構造がある。例えば、特許文献８にナフタレン環、アントラセン環を有するレジスト下層膜が提案されている。本発明者らの測定値では、ナフトール共縮合ノボラック樹脂、ポリビニルナフタレン樹脂のｋ値は０．３〜０．４の間である。また、ナフトール共縮合ノボラック樹脂、ポリビニルナフタレン樹脂の波長１９３ｎｍにおけるｎ値は低く、ナフトール共縮合ノボラック樹脂で１．４、ポリビニルナフタレン樹脂に至っては１．２である。例えば、特許文献９、特許文献１０で示されるアセナフチレン重合体においては、１９３ｎｍにおけるｎ値は１．５、ｋ値は０．４で目標値に近い。ｎ値が高く、ｋ値が低く、透明でかつエッチング耐性が高い下層膜が求められている。
ここで、特許文献１１にビスナフトール基を有するレジスト下層膜形成材料が提案されており、ｎ値、ｋ値共に目標値に近く、エッチング耐性に優れる特徴を有している。
【００２０】
また、下地の被加工基板に段差がある場合、レジスト下層膜によって段差を平坦化させる必要がある。レジスト下層膜を平坦化させることによって、その上に成膜するレジスト中間層膜やレジスト上層膜であるフォトレジスト膜の膜厚変動を抑え、リソグラフィーのフォーカスマージンを拡大することができる。
【００２１】
しかし、メタンガス、エタンガス、アセチレンガスなどを原料に用いたＣＶＤによって形成されたアモルファスカーボン下層膜は、段差をフラットに埋め込むことが困難である。一方、レジスト下層膜をスピンコーティングによって形成した場合、基板の凹凸を埋め込むことができる長所がある。また、更に、塗布型の材料において埋め込み特性を向上させるために特許文献１２に示すように、分子量が低く、分子量分布が広いノボラックを用いる方法、特許文献１３に示されるようにベースポリマーに低融点の低分子化合物をブレンドする方法が提案されている。
【００２２】
ノボラック樹脂が加熱だけで分子間架橋し硬化することは従来からよく知られている（非特許文献６）。ここでは、加熱によってクレゾールノボラックのフェノール性水酸基にフェノキシラジカルが発生し、共鳴によってノボラック樹脂の連結基のメチレンにラジカルが移動し、メチレン同士が架橋するラジカルカップリングによる架橋メカニズムが報告されている。特許文献１４にポリアリーレンやナフトールノボラック、ヒドロキシアントラセンノボラックなどの多環芳香族化合物を熱によって脱水素あるいは脱水縮合反応によって炭素密度を高めた下層膜を用いるパターン形成方法が報告されている。
ガラス状のカーボン膜は８００℃以上の加熱によって形成される（非特許文献７）。しかしながら、デバイスダメージやウエハーの変形への影響を考えると、リソグラフィーのウエハープロセスでの加熱できる温度の上限は６００℃以下、好ましくは５００℃以下である。
【００２３】
加工線幅の縮小に伴い、レジスト下層膜をマスクに被加工基板をエッチングするときにレジスト下層膜がよれたり曲がったりする現象が起きることが報告されている（非特許文献８）。フルオロカーボン系のガスによる基板エッチング中に、レジスト下層膜の水素原子がフッ素原子で置換される現象が示されている。レジスト下層膜表面がテフロン（登録商標）化されることによって下層膜の体積増加により膨潤したり、ガラス転移点が低下することによって、より微細なパターンのよれが生じるものと考えられる。前述の文献では、水素含有率の低いレジスト下層膜を適用することによってよれが防止できることが示されている。ＣＶＤで作製したアモルファスカーボン膜は、膜中の水素原子を極めて少なくすることができ、よれ防止には非常に有効である。しかしながら、前述のようにＣＶＤは段差の埋め込み特性が悪く、またＣＶＤ装置の価格と装置フットプリント面積の占有により導入が困難な場合がある。コーティング、特にスピンコート法で成膜可能な下層膜材料でよれの問題を解決することができれば、プロセスと装置の簡略化のメリットは大きい。
【００２４】
レジスト下層膜の上にＣＶＤ法でハードマスクを形成するマルチレイヤープロセスが検討されている。シリコン系のハードマスク（珪素酸化膜、珪素窒化膜、珪素窒化酸化膜）の場合においてもスピンコート法で形成するハードマスクよりもＣＶＤ等で形成した無機ハードマスクの方がエッチング耐性が高い。また、被加工基板が低誘電率膜であり、そこからのフォトレジストへの汚染（ポイゾニング）が生じる場合があるが、ＣＶＤ膜の方がポイゾニング防止の遮断膜としての効果が高い。
【００２５】
そこで、平坦化のためにレジスト下層膜をスピンコートで形成し、その上のレジスト中間層膜としての無機ハードマスク中間層膜をＣＶＤ法で作製するプロセスが検討されている。ＣＶＤ法で無機ハードマスク中間層膜を作製する場合、特に窒化物系の膜の作製において最低３００℃、通常は４００℃の基板の加熱が必要とされる。従って、スピンコート法でレジスト下層膜を作製した場合、４００℃の耐熱性が必要であるが、通常のクレゾールノボラック、ナフトールノボラック、及び耐熱性が高いフルオレンビスフェノールにおいても４００℃の加熱に耐えることができず、加熱後大きな膜減りが生じてしまう。このように、ＣＶＤ法で無機ハードマスク中間層膜を形成する際の高温の加熱にも耐えることができるようなレジスト下層膜が求められている。
【００２６】
また、このような耐熱性が原因となる加熱後の膜減りや樹脂の劣化の問題から、従来レジスト下層膜材料の熱処理は通常３００℃以下（好ましくは８０〜３００℃の範囲内）で行われていた。しかしながら、溶媒処理後に減膜が生じたり、基板のエッチング中にパターンによれが生じてしまうという問題は生じたままであった。
【００２７】
以上より、反射防止膜としての最適なｎ、ｋ値と埋め込み特性、優れたエッチング耐性、耐溶媒性を有し、更にＣＶＤ法などによる無機ハードマスク中間層膜形成中の高温にも耐えることができる耐熱性を有し、基板のエッチング中によれが生じないレジスト下層膜を形成するための方法が求められているのである。
【先行技術文献】
【特許文献】
【００２８】
【特許文献１】特開平６−１１８６５１号公報
【特許文献２】特開平１０−３２４７４８号公報
【特許文献３】特開平１１−３０２３８２号公報
【特許文献４】特開２００２−５５４５６号公報
【特許文献５】特開平９−１１０９３８号公報
【特許文献６】米国特許第６５０６４９７号明細書
【特許文献７】米国特許第６４２００８８号明細書
【特許文献８】特開２００２−１４４７４号公報
【特許文献９】特開２００１−４０２９３号公報
【特許文献１０】特開２００２−２１４７７７号公報
【特許文献１１】特開２０１０−１２２６５６号公報
【特許文献１２】特開２００２−４７４３０号公報
【特許文献１３】特開平１１−１５４６３８号公報
【特許文献１４】特許第３５０４２４７号公報
【非特許文献】
【００２９】
【非特許文献１】ＳＰＩＥ  ｖｏｌ．１９２５（１９９３）ｐ３７７
【非特許文献２】ＳＰＩＥ  ｖｏｌ．３３３３（１９９８）ｐ６２
【非特許文献３】Ｊ．Ｐｈｏｔｏｐｏｌｙｍｅｒ  Ｓｃｉ．  ａｎｄ  Ｔｅｃｈｎｏｌ．ｖｏｌ．９  Ｎｏ．３（１９９６）ｐ４３５−４４６
【非特許文献４】ＳＰＩＥ  ｖｏｌ．４３４５（２００１）ｐ５０
【非特許文献５】Ｊ．Ｖａｃ．Ｓｃｉ．Ｔｅｃｈｎｏｌ．，１６（６），Ｎｏｖ．／Ｄｅｃ．１９７９
【非特許文献６】ＳＰＩＥ  ｖｏｌ．４６９  ｐ７２（１９８４）
【非特許文献７】Ｇｌａｓｓ  Ｃａｒｂｏｎ  Ｂｕｌｌ．Ｃｈｅｍ．Ｓｏｃ．ＪＰＮ．４１（１２）３０２３−３０２４（１９６８）
【非特許文献８】Ｐｒｏｃ．  ｏｆ  Ｓｙｍｐ．Ｄｒｙ．Ｐｒｏｃｅｓｓ，２００５，ｐ１１
【発明の概要】
【発明が解決しようとする課題】
【００３０】
本発明は、上記事情に鑑みなされたもので、リソグラフィーで用いられる少なくとも三層を有する多層レジスト膜のレジスト下層膜材料として好適なナフタレン誘導体、それを用いたレジスト下層膜材料、レジスト下層膜形成方法及びパターン形成方法を提供することを目的とするものであって、反射率を低減でき、エッチング耐性が高く、高い耐熱性、耐溶媒性を有し、特に基板のエッチング中によれの発生がないレジスト下層膜を実現する手段を提供する。
【課題を解決するための手段】
【００３１】
本発明は、下記一般式（１）で表されるナフタレン誘導体を提供する。
【化１】
0005556773.tif 000002
（式中、環構造Ａｒ１、Ａｒ２はベンゼン環又はナフタレン環を表す。ｎはゲルパーミエーションクロマトグラフィーによるポリスチレン換算重量平均分子量が１００，０００以下となるような任意の自然数を表す。）
【００３２】
また、本発明は、下記一般式（２）で表される部分構造を有するナフタレン誘導体を提供する。
【化２】
0005556773.tif 000003
（式中、環構造Ａｒ１、Ａｒ２はベンゼン環又はナフタレン環を表す。）
【００３３】
この場合、上記式（２）の部分構造を有するナフタレン誘導体として、好適には、下記式（３）で示されるケトン化合物と、下記式（４）で示される１，１’−ビ−２−ナフトール、
【化３】
0005556773.tif 000004
（式中、環構造Ａｒ１、Ａｒ２はベンゼン環又はナフタレン環を表す。）
及びベンゼン、ナフタレン、フェナントレン、アントラセン、ピレン、ビフェニル、フェニルナフタレン、フェニルアントラセン、フェニルフェナントレン、フェニルピレン、ビナフチル、ナフチルアントラセン、ナフチルフェナントレン、ナフチルピレン、ビアントラセン、アントラセニルフェナントレン、アントラセニルピレン、ビフェナントレン、フェナントレニルピレン、ビピレン、ジフェニルエーテル、フェニルナフチルエーテル、フェニルアントラセニルエーテル、フェニルフェナントレニルエーテル、フェニルピレニルエーテル、ジナフチルエーテル、ナフチルアントラセニルエーテル、ナフチルフェナントレニルエーテル、ナフチルピレニルエーテル、ジアントラセニルエーテル、アントラセニルフェナントレニルエーテル、アントラセニルピレニルエーテル、ジフェナントレニルエーテル、フェナントレニルピレニルエーテル、ジピレニルエーテルの各種位置異性体、及び下記式（４ａ）
【化４】
0005556773.tif 000005
（式中、Ｘは単結合、又は炭素数１〜２０のアルキレン基又はアラルキレン基を表す。ｍは０又は１を表す。）
で表される化合物、並びに上記芳香族化合物中の水素原子がハロゲン原子、炭素数１〜２０の一価炭化水素基、水酸基、炭素数１〜２０のアルコキシ基、ニトロ基又はシアノ基で置換された化合物から選ばれる縮合可能な化合物とを脱水縮合反応させることによって得られ、前記式（２）の部分構造を有するナフタレン誘導体を提供する。
【００３４】
更に、本発明は、下記に示すケトン化合物（３）と１，１’−ビ−２−ナフトール（４）とを脱水縮合反応させることを特徴とする一般式（１）で表されるナフタレン誘導体又は（２）で表される部分構造を有するナフタレン誘導体の製造方法を提供する。
【化５】
0005556773.tif 000006
（式中、環構造Ａｒ１、Ａｒ２はベンゼン環又はナフタレン環を表す。ｎはゲルパーミエーションクロマトグラフィーによるポリスチレン換算重量平均分子量が１００，０００以下となるような任意の自然数を表す。）
【００３５】
この場合、上記式（２）の部分構造を有するナフタレン誘導体の製造方法として、特に下記式（３）で示されるケトン化合物と、下記式（４）で示される１，１’−ビ−２−ナフトール、
【化６】
0005556773.tif 000007
（式中、環構造Ａｒ１、Ａｒ２はベンゼン環又はナフタレン環を表す。）
及びベンゼン、ナフタレン、フェナントレン、アントラセン、ピレン、ビフェニル、フェニルナフタレン、フェニルアントラセン、フェニルフェナントレン、フェニルピレン、ビナフチル、ナフチルアントラセン、ナフチルフェナントレン、ナフチルピレン、ビアントラセン、アントラセニルフェナントレン、アントラセニルピレン、ビフェナントレン、フェナントレニルピレン、ビピレン、ジフェニルエーテル、フェニルナフチルエーテル、フェニルアントラセニルエーテル、フェニルフェナントレニルエーテル、フェニルピレニルエーテル、ジナフチルエーテル、ナフチルアントラセニルエーテル、ナフチルフェナントレニルエーテル、ナフチルピレニルエーテル、ジアントラセニルエーテル、アントラセニルフェナントレニルエーテル、アントラセニルピレニルエーテル、ジフェナントレニルエーテル、フェナントレニルピレニルエーテル、ジピレニルエーテルの各種位置異性体、及び下記式（４ａ）
【化７】
0005556773.tif 000008
（式中、Ｘは単結合、又は炭素数１〜２０のアルキレン基又はアラルキレン基を表す。ｍは０又は１を表す。）
で表される化合物、並びに上記芳香族化合物中の水素原子がハロゲン原子、炭素数１〜２０の一価炭化水素基、水酸基、炭素数１〜２０のアルコキシ基、ニトロ基又はシアノ基で置換された化合物から選ばれる縮合可能な化合物とを脱水縮合反応させることを特徴とする上記一般式（２）で表される部分構造を有するナフタレン誘導体の製造方法を提供する。
【００３６】
本発明は、上記一般式（１）又は（２）で表されるナフタレン誘導体、又は該ナフタレン誘導体を繰り返し単位の一部として含有する高分子化合物を用いたレジスト下層膜材料を提供する。この場合、レジスト下層膜材料は、有機溶媒や架橋剤、酸発生剤を含有することができる。
【００３７】
また、本発明は、リソグラフィーで用いられる少なくとも三層を有する多層レジスト膜のレジスト下層膜の形成方法であって、上記一般式（１）又は（２）のナフタレン誘導体又はそれらを含有する高分子化合物を用いたレジスト下層膜材料を基板上にスピンコート法等の方法でコーティングし、そのコーティングしたレジスト下層膜材料を１００℃を超え６００℃以下の温度で、１０〜６００秒間の範囲で熱処理して硬化させることを特徴とするレジスト下層膜形成方法を提供する。
【００３８】
また、本発明は、リソグラフィーにより基板にパターンを形成する方法であって、少なくとも、基板上に上記下層膜形成方法によりレジスト下層膜を形成し、そのレジスト下層膜の上に珪素原子を含有するレジスト中間層膜材料を用いてレジスト中間層膜を形成し、そのレジスト中間層膜の上にフォトレジスト組成物からなるレジスト上層膜材料を用いてレジスト上層膜を形成して、上記レジスト上層膜のパターン回路領域を露光した後、現像液で現像して上記レジスト上層膜にレジストパターンを形成し、得られたレジストパターンをエッチングマスクにして上記レジスト中間層膜をエッチングし、得られたレジスト中間層膜パターンをエッチングマスクにして上記レジスト下層膜をエッチングし、得られたレジスト下層膜パターンをエッチングマスクにして基板をエッチングして基板にパターンを形成することを特徴とするパターン形成方法を提供する。
【００３９】
また、本発明は、リソグラフィーにより基板にパターンを形成する方法であって、少なくとも、基板上に上記レジスト下層膜形成方法によりレジスト下層膜を形成し、そのレジスト下層膜の上に珪素酸化膜、珪素窒化膜及び珪素酸化窒化膜から選ばれる無機ハードマスク中間層膜を形成し、その無機ハードマスク中間層膜の上にフォトレジスト組成物からなるレジスト上層膜材料を用いてレジスト上層膜を形成して、上記レジスト上層膜のパターン回路領域を露光した後、現像液で現像して上記レジスト上層膜にレジストパターンを形成し、得られたレジストパターンをエッチングマスクにして上記無機ハードマスク中間層膜をエッチングし、得られた無機ハードマスク中間層膜パターンをエッチングマスクにして上記レジスト下層膜をエッチングし、得られたレジスト下層膜パターンをエッチングマスクにして基板をエッチングして基板にパターンを形成することを特徴とするパターン形成方法を提供する。
【００４０】
また、本発明は、リソグラフィーにより基板にパターンを形成する方法であって、少なくとも、基板上に上記レジスト下層膜形成方法によりレジスト下層膜を形成し、そのレジスト下層膜の上に珪素酸化膜、珪素窒化膜及び珪素酸化窒化膜から選ばれる無機ハードマスク中間層膜を形成し、その無機ハードマスク中間層膜の上に有機反射防止膜を形成し、その有機反射防止膜の上にフォトレジスト組成物からなるレジスト上層膜材料を用いてレジスト上層膜を形成して、上記レジスト上層膜のパターン回路領域を露光した後、現像液で現像して上記レジスト上層膜にレジストパターンを形成し、得られたレジストパターンをエッチングマスクにして上記有機反射防止膜と上記無機ハードマスク中間層膜をエッチングし、得られた無機ハードマスク中間層膜パターンをエッチングマスクにして上記レジスト下層膜をエッチングし、得られたレジスト下層膜パターンをエッチングマスクにして基板をエッチングして基板にパターンを形成することを特徴とするパターン形成方法を提供する。
なお、無機ハードマスク中間層膜は、ＣＶＤ法あるいはＡＬＤ法によって形成することができる。また、レジスト上層膜材料が、珪素原子含有ポリマーを含まず、上記中間層膜をマスクにして行うレジスト下層膜のエッチングを酸素ガス又は水素ガスを主体とするエッチングガスを用いて行うことが好ましい。
【発明の効果】
【００４１】
本発明の上記一般式（１）又は（２）のナフタレン誘導体又は該ナフタレン誘導体を繰り返し単位の一部として含有する高分子化合物を用いたレジスト下層膜材料を用いた少なくとも三層を有する多層レジスト膜のレジスト下層膜形成方法により、反射防止膜としての最適なｎ、ｋ値と埋め込み特性、優れたエッチング耐性を有し、高い耐熱性、耐溶媒性を有し、ベーク中のアウトガスの発生を抑制でき、特には６０ｎｍよりも細い高アスペクトラインにおける基板のエッチング中によれが生じないレジスト下層膜を形成することが可能となる。更に、本発明であるスピンコート法を用いて形成されたレジスト下層膜の上にＣＶＤ法により無機ハードマスクを形成する際、無機ハードマスク中間層膜形成時の高温処理にも耐えうる高い耐熱性を有するレジスト下層膜を形成できるため、スピンコート法で得られたレジスト下層膜とＣＶＤ法で得られた無機ハードマスクを組み合わせたパターン形成方法を提供することができる。
【図面の簡単な説明】
【００４２】
【図１】三層プロセスの説明図で、（Ａ）〜（Ｆ）は三層の積層とエッチング工程を示す断面図である。
【図２】二層プロセスにおける下層膜屈折率ｋ値が０．３固定で、ｎ値を１．０〜２．０の範囲で変化させた下層膜の膜厚と基板反射率の関係を示すグラフである。
【図３】二層プロセスにおける下層膜屈折率ｎ値が１．５固定で、ｋ値を０〜０．８の範囲で変化させた下層膜の膜厚と基板反射率の関係を示すグラフである。
【図４】三層プロセスにおける下層膜屈折率ｎ値が１．５、ｋ値が０．６、膜厚５００ｎｍ固定で、中間層のｎ値が１．５、ｋ値を０〜０．３、膜厚を０〜４００ｎｍの範囲で変化させたときの基板反射率の関係を示すグラフである。
【図５】三層プロセスにおける下層膜屈折率ｎ値が１．５、ｋ値が０．２、中間層のｎ値が１．５、ｋ値を０．１固定で下層と中間層の膜厚を変化させたときの基板反射率の関係を示すグラフである。
【図６】三層プロセスにおける下層膜屈折率ｎ値が１．５、ｋ値が０．６、中間層のｎ値が１．５、ｋ値を０．１固定で下層と中間層の膜厚を変化させたときの基板反射率の関係を示すグラフである。
【発明を実施するための形態】
【００４３】
以下、本発明についてより具体的に説明する。なお、以下の説明中、化学式で表される構造によっては、エナンチオ異性体（ｅｎａｎｔｉｏｍｅｒ）やジアステレオ異性体（ｄｉａｓｔｅｒｅｏｍｅｒ）が存在し得るものがあるが、その場合は一つの式でそれらの異性体を代表して表す。それらの異性体は単独で用いてもよいし、混合物として用いてもよい。なお、エナンチオ異性体（ｅｎａｎｔｉｏｍｅｒ）には不斉炭素が存在する場合もあるし、軸不斉のように不斉炭素が存在しない場合もある。
【００４４】
本発明のナフタレン誘導体は、下記一般式（１）で表されるものである。
【化８】
0005556773.tif 000009
（式中、環構造Ａｒ１、Ａｒ２はベンゼン環又はナフタレン環を表す。ｎはゲルパーミエーションクロマトグラフィーによるポリスチレン換算重量平均分子量が１００，０００以下となるような任意の自然数を表す。）
【００４５】
また、本発明のナフタレン誘導体は、下記一般式（２）で表される部分構造を有するものである。
【化９】
0005556773.tif 000010
（式中、環構造Ａｒ１、Ａｒ２はベンゼン環又はナフタレン環を表す。）
【００４６】
上記一般式（１）及び（２）において、Ａｒ１、Ａｒ２はベンゼン環又はナフタレン環を表す。即ち、部分構造
【化１０】
0005556773.tif 000011
として具体的には、下記に示す部分構造
【化１１】
0005556773.tif 000012
等を好ましく例示できる。フルオレン環構造、ベンゾフルオレン構造は特に好ましい。また、これらの基中の水素原子はハロゲン原子、炭化水素基、水酸基、アルコキシ基、ニトロ基、シアノ基等で置換されていてもよい。
【００４７】
上記部分構造における下記式
【化１２】
0005556773.tif 000013
で示される基のビナフトール構造に対する結合位置としては、下記一般式における結合位置、即ち、１，１’−ビ（２−ナフトール）における６位、６’位が好ましいが、この位置に限定されない。
【化１３】
0005556773.tif 000014
【００４８】
上記一般式（１）において、ｎは分子量が１００，０００以下となるような任意の自然数を表す。また、上記一般式（２）の部分構造を有するナフタレン誘導体では全体の分子量が１００，０００以下であることが望ましい。ここで、分子量とは、ゲルパーミエーションクロマトグラフィ（ＧＰＣ）におけるポリスチレン換算の分子量のことであり、その重量平均分子量（Ｍｗ）が１００，０００以下であればよいが、特に７００〜５０，０００、とりわけ２，０００〜３０，０００の範囲であるようなｎが好ましい。
なお、縮合反応等で合成した場合、本発明のナフタレン誘導体はｎが種々の値をとる分子量分布を有する混合物となる。また、式（２）の構造を有するナフタレン誘導体の分子量も上記と同様の値であることが好ましい。
【００４９】
本発明の一般式（１）で表されるナフタレン誘導体の製造方法は、下記ケトン化合物（３）と１，１’−ビ−２−ナフトール（４）との脱水縮合反応によることを特徴とする。
【化１４】
0005556773.tif 000015
【００５０】
反応は通常、無溶媒又は溶媒中で酸又は塩基を触媒として用いて、室温又は必要に応じて冷却又は加熱下に行う。用いられる溶媒として、メタノール、エタノール、イソプロピルアルコール、ブタノール、エチレングリコール、プロピレングリコール、ジエチレングリコール、グリセロール、エチレングリコールモノメチルエーテル、プロピレングリコールモノメチルエーテル等のアルコール類、ジエチルエーテル、ジブチルエーテル、ジエチレングリコールジエチルエーテル、ジエチレングリコールジメチルエーテル、テトラヒドロフラン、１，４−ジオキサン等のエーテル類、塩化メチレン、クロロフォルム、ジクロロエタン、トリクロロエチレン等の塩素系溶剤類、ヘキサン、ヘプタン、ベンゼン、トルエン、キシレン、クメン等の炭化水素類、アセトニトリル等のニトリル類、アセトン、エチルメチルケトン、イソブチルメチルケトンなどのケトン類、酢酸エチル、酢酸ｎ−ブチル、プロピレングリコールメチルエーテルアセテートなどのエステル類、ジメチルスルホキシド、Ｎ，Ｎ−ジメチルホルムアミド、ヘキサメチルホスホリックトリアミド等の非プロトン性極性溶媒類が例示でき、これらを単独あるいは２種類以上を混合して用いることができる。用いられる酸触媒として、塩酸、臭化水素酸、硫酸、硝酸、リン酸、ヘテロポリ酸等の無機酸類、シュウ酸、トリフルオロ酢酸、メタンスルホン酸、ベンゼンスルホン酸、ｐ−トルエンスルホン酸、トリフルオロメタンスルホン酸等の有機酸類、三塩化アルミニウム、アルミニウムエトキシド、アルミニウムイソプロポキシド、三フッ化ホウ素、三塩化ホウ素、三臭化ホウ素、四塩化錫、四臭化錫、二塩化ジブチル錫、ジブチル錫ジメトキシド、ジブチル錫オキシド、四塩化チタン、四臭化チタン、チタン（ＩＶ）メトキシド、チタン（ＩＶ）エトキシド、チタン（ＩＶ）イソプロポキシド、酸化チタン（ＩＶ）等のルイス酸類を用いることができる。用いられる塩基触媒として、水酸化ナトリウム、水酸化カリウム、水酸化バリウム、炭酸ナトリウム、炭酸水素ナトリウム、炭酸カリウム、水素化リチウム、水素化ナトリウム、水素化カリウム、水素化カルシウム等の無機塩基類、メチルリチウム、ｎ−ブチルリチウム、塩化メチルマグネシウム、臭化エチルマグネシウム等のアルキル金属類、ナトリウムメトキシド、ナトリウムエトキシド、カリウムｔ−ブトキシド等のアルコキシド類、トリエチルアミン、ジイソプロピルエチルアミン、Ｎ，Ｎ−ジメチルアニリン、ピリジン、４−ジメチルアミノピリジン等の有機塩基類を用いることができる。反応温度は−５０℃〜溶媒の沸点程度が好ましく、室温〜１００℃が更に好ましい。
【００５１】
また、本発明の一般式（２）で表される部分構造を有するナフタレン誘導体の製造方法は、上記本発明の一般式（１）で表されるナフタレン誘導体の製造方法、即ち、ケトン化合物（３）と１，１’−ビ−２−ナフトール（４）との脱水縮合反応において縮合可能な化合物を共存させることにより実現できる。
【００５２】
共存させる縮合可能な化合物として、芳香族炭化水素及び酸素官能基を有する芳香族化合物が挙げられ、例えばベンゼン、ナフタレン、フェナントレン、アントラセン、ピレン、ビフェニル、フェニルナフタレン、フェニルアントラセン、フェニルフェナントレン、フェニルピレン、ビナフチル、ナフチルアントラセン、ナフチルフェナントレン、ナフチルピレン、ビアントラセン、アントラセニルフェナントレン、アントラセニルピレン、ビフェナントレン、フェナントレニルピレン、ビピレン等の芳香族化合物中の水素原子がハロゲン原子、炭化水素基、水酸基、アルコキシ基、ニトロ基、シアノ基等で置換された化合物の各種位置異性体化合物等、ジフェニルエーテル、フェニルナフチルエーテル、フェニルアントラセニルエーテル、フェニルフェナントレニルエーテル、フェニルピレニルエーテル、ジナフチルエーテル、ナフチルアントラセニルエーテル、ナフチルフェナントレニルエーテル、ナフチルピレニルエーテル、ジアントラセニルエーテル、アントラセニルフェナントレニルエーテル、アントラセニルピレニルエーテル、ジフェナントレニルエーテル、フェナントレニルピレニルエーテル、ジピレニルエーテル等の芳香族エーテルの芳香族化合物中の水素原子がハロゲン原子、炭化水素基、水酸基、アルコキシ基、ニトロ基、シアノ基等で置換された各種位置異性体化合物等を挙げることができる、特に好ましい例としてはフェノール性水酸基をもつ２，２’−ビフェノール、２，４’−ビフェノール、４，４’−ビフェノール等のビフェノール類、ヒドロキシフェニルナフトール類、６，６’−ビ−２，２’−ナフトール、１，６’−ビ−２，２’−ナフトール、４，４’−ビ−１，１’−ナフトール等のビナフトール類、１，２−ジヒドロキシナフタレン、１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、１，８−ジヒドロキシナフタレン、２，３−ジヒドロキシナフタレン、２，６−ジヒドロキシナフタレン、２，７−ジヒドロキシナフタレン等のジヒドロキシナフタレン類、１，１’−ジナフチルエーテル、１−ナフチル  ２−ナフチルエーテル、２，２’−ジナフチルエーテル等のジナフチルエーテル類、１，２−ジメトキシキシナフタレン、１，３−ジメトキシナフタレン、１，４−ジメトキシナフタレン、１，５−ジメトキシナフタレン、１，６−ジメトキシナフタレン、１，７−ジメトキシナフタレン、１，８−ジメトキシナフタレン、２，３−ジメトキシナフタレン、２，６−ジメトキシナフタレン、２，７−ジメトキシナフタレン等のジアルコキシナフタレン類を例示でき、また、下記化合物（４ａ）
【化１５】
0005556773.tif 000016
（式中、Ｘは単結合、又は炭素数１〜２０のアルキレン基又はアラルキレン基を表す。ｍは０又は１を表す。）
で表される化合物を例示できる。
【００５３】
式（４ａ）として具体的には、下記の化合物が挙げられる。
【化１６】
0005556773.tif 000017
【００５４】
これらの縮合可能な化合物の中でジナフチルエーテル構造、ジナフトフラン構造、ジナフトピラン構造、１４−アルキル−１４−Ｈ−ジベンゾキサンテン構造、１４−アリール−１４−Ｈ−ジベンゾキサンテン構造は特に好ましい。
【００５５】
本発明の一般式（１）又は（２）で表されるナフタレン誘導体の設計思想（Ｄｅｓｉｇｎ  ｃｏｎｃｅｐｔ）について述べる。
本発明の一般式（１）又は（２）で表されるナフタレン誘導体は、リソグラフィーで用いられる少なくとも三層を有する多層レジスト膜のレジスト下層膜の材料である。上述の通りレジスト下層膜に対する要求特性、特にエッチング耐性、耐熱性、基板のエッチング中によれの発生がない等の特性の実現のためには、炭素原子密度が高く水素原子密度が低い膜が必要とされる。そのため用いる下層膜材料も炭素原子密度が高い（水素原子密度が低い）ことが望まれる。
【００５６】
比較のためのレジスト下層膜に用いられるナフタレン誘導体の例として、例えば、下記式（５）で表される２−ナフトールとフルオレノンの縮合体、いわゆる、ビスナフトールフルオレン（以下、化合物（５）と呼ぶ）の例が特開２００７−９９７４１号公報に示されている。この化合物（５）を高分子化する方法としてノボラック化の手法が知られており、ホルムアルデヒドを用いてノボラック化した樹脂として、例えば、下記式（５’）で表される繰り返し単位を有する樹脂（以下、樹脂（５’）と呼ぶ）が考えられる。
【００５７】
【化１７】
0005556773.tif 000018
（式中、ｎは自然数を表す。）
【００５８】
化合物（５）や樹脂（５’）と比較して、本発明のナフタレン誘導体（１）又は（２）は下記に示すような種々の構造上の利点を有する。
〈１〉本発明のナフタレン誘導体は、化合物（５）のナフトール単位から水素（Ｈ2）を除去して炭素−炭素結合を形成した構造をなしており、除かれた水素だけ樹脂の炭素密度が高くなっている。
〈２〉化合物（５）は単量体（Ｍｏｎｏｍｅｒ）であり、下層膜材料として使用するためにはノボラック化などの手法により高分子（Ｐｏｌｙｍｅｒ）化することが必須であるが、本発明のナフタレン誘導体はこの炭素−炭素結合により既に高分子となっており、ノボラック化等の高分子化をせずにそのまま樹脂として用いることができる。
〈３〉ノボラック化された樹脂（５’）ではノボラック架橋−ＣＨ2−のために炭素密度が低下する（水素密度が上昇する）が、本発明のナフタレン誘導体にはこのような不利益がない。
〈４〉本発明のナフタレン誘導体は、必要があれば重縮合可能なモノマーとノボラック化等の方法により分子間架橋させることもできる。
〈５〉本発明のナフタレン誘導体は、下層膜加熱形成時に、例えば下記式に示す脱水５員環形成反応により更なる炭素密度向上を期待することができる。
【化１８】
0005556773.tif 000019
これらの利点による下層膜の特性の向上については、実施例で詳しく述べる。
【００５９】
比較のためのレジスト下層膜に用いられるナフタレン誘導体の別な例として、例えば、化合物（５）を酸化的カップリング反応により高分子化した下記式（５’’）で表される繰り返し単位を有する樹脂（以下、樹脂（５’’）と呼ぶ）が考えられる。製造条件等の詳細な記載はないが、例えば、特開２０１０−１２２６５６号公報に示されている。
【００６０】
【化１９】
0005556773.tif 000020
（式中、ｎは自然数を表す。）
【００６１】
樹脂（５’’）は、本発明のナフタレン誘導体（１）と同様に化合物（５）のナフトール単位から水素（Ｈ2）を除去して炭素−炭素結合を形成した構造をなしており、除かれた水素だけ樹脂の炭素密度が高くなっているが、〈１〉単量体（Ｍｏｎｏｍｅｒ）化合物（５）を酸化的カップリングにより高分子（Ｐｏｌｙｍｅｒ）化するには特殊な金属触媒の使用や空気（酸素）存在下高温で加熱する等の条件を必要とし、金属の混入を嫌う用途には不向きであり、高温による目的外の炭素−炭素結合の開裂により分解が起こったりして、工業的には実施し難く、この酸化的カップリングを完全に完結させることは非常に困難である。この点、本発明のナフタレン誘導体の製造方法では２−ナフトールの酸化的カップリング二量体である１，１’−ビ−２−ナフトール（４）は工業的に入手可能であり、これを原料として高分子化するのでこれらの難点を回避できる。また、〈２〉下層膜用途としてのフォーミュレーション溶剤への溶解性や成膜や熱処理による硬化の際の機能部位・反応部位と考えられるナフトール単位が、本発明のナフタレン誘導体（１）ではフルオレン誘導体：ナフトールの比がｎ：２ｎ＋２であるのに対し、（５’’）ではｎ：２ｎとなっており、（１）ではｎがいかなる値であっても単位分子量あたりのナフトール密度を高くすることができる。〈３〉前述の脱水５員環形成反応を考えた場合、本発明のナフタレン誘導体（１）ではすべての水酸基が脱水５員環形成反応に寄与できる可能性があるのに対し、（５’’）では両末端の水酸基は構造上、脱水５員環形成反応による炭素密度向上に寄与できず不利であると考えられる。
【００６２】
また、本発明のナフタレン誘導体（１）又は（２）を重縮合可能なモノマーと重縮合させて更に高分子化してレジスト下層膜材料として用いることができる。具体的には、インデン、アセナフチレン、ビフェニル、ジシクロペンタジエン、テトラヒドロインデン、４−ビニルシクロヘキセン、ノルボルナジエン、５−ビニルノルボルナ−２−エン、α−ピネン、β−ピネン、リモネン等の不飽和炭化水素類、フェノール、ｏ−クレゾール、ｍ−クレゾール、ｐ−クレゾール、２，３−ジメチルフェノール、２，５−ジメチルフェノール、３，４−ジメチルフェノール、３，５−ジメチルフェノール、２，４−ジメチルフェノール、２，６−ジメチルフェノール、２，３，５−トリメチルフェノール、３，４，５−トリメチルフェノール、２−ｔ−ブチルフェノール、３−ｔ−ブチルフェノール、４−ｔ−ブチルフェノール、２−フェニルフェノール、３−フェニルフェノール、４−フェニルフェノール、３，５−ジフェニルフェノール、２−ナフチルフェノール、３−ナフチルフェノール、４−ナフチルフェノール、４−トリチルフェノール、レゾルシノール、２−メチルレゾルシノール、４−メチルレゾルシノール、５−メチルレゾルシノール、カテコール、４−ｔ−ブチルカテコール、２−メトキシフェノール、３−メトキシフェノール、２−プロピルフェノール、３−プロピルフェノール、４−プロピルフェノール、２−イソプロピルフェノール、３−イソプロピルフェノール、４−イソプロピルフェノール、２−メトキシ−５−メチルフェノール、２−ｔ−ブチル−５−メチルフェノール、ピロガロール、チモール、イソチモール、１−ナフトール、２−ナフトール、２−メチル−１−ナフトール、４−メトキシ−１−ナフトール、７−メトキシ−２−ナフトール、１，５−ジヒドロキシナフタレン、１，６−ジヒドロキシナフタレン、１，７−ジヒドロキシナフタレン、２，３−ジヒドロキシナフタレン、２，６−ジヒドロキシナフタレン、２，７−ジヒドロキシナフタレン、３−ヒドロキシナフタレン−２−カルボン酸メチル、４−トリチルフェノール、ヒドロキシアントラセン、ジヒドロキシアントラセン、トリヒドロキシアントラセン、ヒドロキシピレン、ビスフェノール、トリスフェノール等、ヒドロキシインデン等のフェノール類・ナフトール類、ベンゾフラン等の酸素を含むヘテロ芳香族類、４，４’−ビスフェノールフルオレン、６，６’−ビスナフトールフルオレン等のフルオレン−フェノール縮合体類等が挙げられる。また、これらの基中の水素原子はハロゲン原子、炭化水素基、水酸基、アルコキシ基、ニトロ基、シアノ基等で置換されていてもよい。三元以上の共重合体であっても構わない。
【００６３】
ナフタレン誘導体（１）又は（２）と重縮合可能なモノマーとの重縮合による高分子化の例として、他の成分との縮合によりノボラック化する方法について説明する。ノボラック化反応に用いられるアルデヒド化合物としては、例えば、ホルムアルデヒド、トリオキサン、パラホルムアルデヒド、アセトアルデヒド、ベンズアルデヒド、プロピオンアルデヒド、フェニルアセトアルデヒド、α−フェニルプロピオンアルデヒド、β−フェニルプロピオンアルデヒド、１−ナフトアルデヒド、２−ナフトアルデヒド、フルフラール等を挙げることができる。また、これらのアルデヒド化合物中の水素原子はハロゲン原子、炭化水素基、水酸基、アルコキシ基、ニトロ基、シアノ基等で置換されていてもよい。これらのうち、特にホルムアルデヒド及びその等価体、ベンズアルデヒド、１−ナフトアルデヒド、２−ナフトアルデヒド、及びその置換体を好適に用いることができる。これらのアルデヒド化合物は、単独で用いてもよいし、２種以上を組み合わせて用いてもよい。ノボラック化反応においては触媒を用いてもよい。特に酸触媒が好ましい。酸触媒として、塩酸、臭化水素酸、硫酸、硝酸、リン酸、ヘテロポリ酸等の無機酸類、シュウ酸、トリフルオロ酢酸、メタンスルホン酸、ベンゼンスルホン酸、ｐ−トルエンスルホン酸、トリフルオロメタンスルホン酸等の有機酸類、三塩化アルミニウム、アルミニウムエトキシド、アルミニウムイソプロポキシド、三フッ化ホウ素、三塩化ホウ素、三臭化ホウ素、四塩化錫、四臭化錫、二塩化ジブチル錫、ジブチル錫ジメトキシド、ジブチル錫オキシド、四塩化チタン、四臭化チタン、チタン（ＩＶ）メトキシド、チタン（ＩＶ）エトキシド、チタン（ＩＶ）イソプロポキシド、酸化チタン（ＩＶ）等のルイス酸類を用いることができる。具体的には塩酸、硝酸、硫酸、ギ酸、シュウ酸、酢酸、メタンスルホン酸、カンファースルホン酸、ｐ−トルエンスルホン酸、トリフルオロメタンスルホン酸等の酸性触媒を挙げることができる。反応方法としては、各種モノマー、アルデヒド化合物、触媒を一括で仕込む方法や、任意の成分を滴下していく方法がある。反応終了後、系内に存在する未反応原料、触媒等を除去するために、反応釜の温度を１３０〜２３０℃にまで上昇させ、１〜５０ｍｍＨｇ程度で揮発分を除去することができる。
【００６４】
上記重縮合樹脂のポリスチレン換算の分子量は、重量平均分子量（Ｍｗ）が１，０００〜２００，０００、特に２，０００〜５０，０００であることが好ましい。分子量分布は１．２〜７の範囲内が好ましく用いられる。モノマー成分、オリゴマー成分又は分子量（Ｍｗ）１，０００以下の低分子量成分をカットして分子量分布を狭くした方が架橋効率が高くなり、またベーク中の揮発成分を抑えることによりベークカップ周辺の汚染を防ぐこともできる。
【００６５】
また、上記本発明の一般式（１）又は（２）で表されるナフタレン誘導体又は該ナフタレン誘導体を繰り返し単位の一部として含有する高分子化合物に縮合芳香族、あるいは脂環族の置換基を導入することができる。ここで導入可能な置換基は、具体的には下記に挙げることができる。
【化２０】
0005556773.tif 000021
【００６６】
これらの中で２４８ｎｍ露光用には、多環芳香族基、例えばアントラセンメチル基、ピレンメチル基が最も好ましく用いられる。１９３ｎｍでの透明性向上のためには脂環構造を持つものや、ナフタレン構造を持つものが好ましく用いられる。一方、波長１５７ｎｍにおいてベンゼン環は透明性が向上するウィンドウがあるため、吸収波長をずらして吸収を上げてやる必要がある。フラン環はベンゼン環よりも吸収が短波長化して１５７ｎｍの吸収が若干向上するが、効果は小さい。ナフタレン環やアントラセン環、ピレン環は吸収波長が長波長化することによって吸収が増大し、これらの芳香族環はエッチング耐性も向上する効果もあり、好ましく用いられる。上記置換基の導入方法としては、上記本発明の一般式（１）又は（２）で表されるナフタレン誘導体又は該ナフタレン誘導体を繰り返し単位の一部として含有する高分子化合物に上記置換基の結合位置が水酸基になっているアルコール化合物を酸触媒存在下に導入する方法が挙げられる。酸触媒の例としては、上記ノボラック化反応において例示したものを挙げることができる。これらは、上記ノボラック化反応と同時に進行させることもできる。
【００６７】
１９３ｎｍにおける透明性を向上させるために、本発明の一般式（１）又は（２）で表されるナフタレン誘導体又は該ナフタレン誘導体を繰り返し単位の一部として含有する高分子化合物に水素添加を行うことができる。好ましい水素添加の割合は、芳香族基の８０モル％以下、特に６０モル％以下である。
【００６８】
以上述べた本発明の一般式（１）又は（２）で表されるナフタレン誘導体又は該ナフタレン誘導体を繰り返し単位の一部として含有する高分子化合物は、本発明の三層プロセス用レジスト下層膜形成方法で用いるレジスト下層膜材料として用いることができる。これらの化合物は、四級炭素を有し、また炭素密度の割合が９０％前後の高い値であるために非常に高い耐熱性を有する。レジスト下層膜上にＣＶＤ法等で珪素酸化膜、珪素窒化膜、珪素窒化酸化膜等のハードマスクを形成する場合、特に窒化膜系の膜においては３００℃以上の高温が必要であり、レジスト下層膜としても高耐熱性が要求される。また、これらの化合物は、ベンゼン環の縮合炭化水素であるために吸収シフトによって波長１９３ｎｍにおける吸収が比較的小さく、三層プロセスを用いたときに特に１００ｎｍ以上の膜厚で良好な反射防止効果が期待される。また、化合物は、通常のｍ−クレゾールノボラック樹脂よりも、基板加工に用いられるＣＦ4／ＣＨＦ3ガス及びＣｌ2／ＢＣｌ3系ガスエッチングに対するエッチング耐性が高く、芳香族の数が増えた分だけ水素原子が減ってエッチング耐性、とりわけエッチング中のパターンよれの発生を抑えることができる。更に３００℃を超える温度でベークをすることによって、更に高いエッチング耐性、耐溶媒性を有し、基板エッチング中のパターンよれの発生を抑えることができる。
【００６９】
本発明のレジスト下層膜形成方法で用いるレジスト下層膜材料は、
（Ａ）上記一般式（１）又は（２）で表されるナフタレン誘導体又は該ナフタレン誘導体を繰り返し単位の一部として含有する高分子化合物
を必須成分とし、
（Ｂ）有機溶剤
を含むものであるが、スピンコート特性、段差基板の埋め込み特性、膜の剛性や耐溶媒性を上げるために
（Ｃ）ブレンド用化合物又はブレンド用ポリマー、
（Ｄ）架橋剤、
（Ｅ）酸発生剤
を加えてもよい。
【００７０】
本発明のレジスト下層膜形成方法に用いるレジスト下層膜材料において使用可能な有機溶剤（Ｂ）としては、上記の（Ａ）〜（Ｅ）やその他の添加剤が溶解するものであれば特に制限はない。具体的には、特開２００８−６５３０３号公報中の（０１２０）〜（０１２１）段落に記載されている溶剤を添加することができる。上記レジスト下層膜材料は、有機溶剤を含有することが好ましい。更に、スピンコート特性、段差基板の埋め込み特性、膜の剛性や耐溶媒性を上げるために、架橋剤及び酸発生剤を含むことが好ましい。
【００７１】
ベースポリマー（Ｃ）として、他のポリマーや化合物をブレンドすることもできる。ブレンド用化合物又はブレンド用ポリマーとしては、上記一般式（１）又は（２）で表されるナフタレン誘導体又は該ナフタレン誘導体を繰り返し単位の一部として含有する高分子化合物と混合し、スピンコーティングの成膜性や、段差基板での埋め込み特性を向上させる役割を持つ。また、炭素密度が高くエッチング耐性の高い材料が選ばれる。このようなブレンド材料とは、フェノール、ｏ−クレゾール、ｍ−クレゾール、ｐ−クレゾール、２，３−ジメチルフェノール、２，５−ジメチルフェノール、３，４−ジメチルフェノール、３，５−ジメチルフェノール、２，４−ジメチルフェノール、２，６−ジメチルフェノール、２，３，５−トリメチルフェノール、３，４，５−トリメチルフェノール、２−ｔ−ブチルフェノール、３−ｔ−ブチルフェノール、４−ｔ−ブチルフェノール、２−フェニルフェノール、３−フェニルフェノール、４−フェニルフェノール、３，５−ジフェニルフェノール、２−ナフチルフェノール、３−ナフチルフェノール、４−ナフチルフェノール、４−トリチルフェノール、レゾルシノール、２−メチルレゾルシノール、４−メチルレゾルシノール、５−メチルレゾルシノール、カテコール、４−ｔ−ブチルカテコール、２−メトキシフェノール、３−メトキシフェノール、２−プロピルフェノール、３−プロピルフェノール、４−プロピルフェノール、２−イソプロピルフェノール、３−イソプロピルフェノール、４−イソプロピルフェノール、２−メトキシ−５−メチルフェノール、２−ｔ−ブチル−５−メチルフェノール、ピロガロール、チモール、イソチモール、４，４’−（９Ｈ−フルオレン−９−イリデン）ビスフェノール、２，２’ジメチル−４，４’−（９Ｈ−フルオレン−９−イリデン）ビスフェノール、２，２’ジアリル−４，４’−（９Ｈ−フルオレン−９−イリデン）ビスフェノール、２，２’ジフルオロ−４，４’−（９Ｈ−フルオレン−９−イリデン）ビスフェノール、２，２’ジフェニル−４，４’−（９Ｈ−フルオレン−９−イリデン）ビスフェノール、２，２’ジメトキシ−４，４’−（９Ｈ−フルオレン−９−イリデン）ビスフェノール、２，３，２’，３’−テトラヒドロ−（１，１’）−スピロビインデン−６，６’−ジオール、３，３，３’，３’−テトラメチル−２，３，２’，３’−テトラヒドロ−（１，１’）−スピロビインデン−６，６’−ジオール、３，３，３’，３’，４，４’−ヘキサメチル−２，３，２’，３’−テトラヒドロ−（１，１’）−スピロビインデン−６，６’−ジオール、２，３，２’，３’−テトラヒドロ−（１，１’）−スピロビインデン−５，５’−ジオール、５，５’−ジメチル−３，３，３’，３’−テトラメチル−２，３，２’，３’−テトラヒドロ−（１，１’）−スピロビインデン−６，６’−ジオール、１−ナフトール、２−ナフトール、２−メチル−１−ナフトール、４−メトキシ−１−ナフトール、７−メトキシ−２−ナフトール及び１，５−ジヒドロキシナフタレン、１，７−ジヒドロキシナフタレン、２，６−ジヒドロキシナフタレン等のジヒドロキシナフタレン、３−ヒドロキシ−ナフタレン−２−カルボン酸メチル、インデン、ヒドロキシインデン、ベンゾフラン、ヒドロキシアントラセン、アセナフチレン、ビフェニル、ビスフェノール、トリスフェノール、ジシクロペンタジエン、テトラヒドロインデン、４−ビニルシクロヘキセン、ノルボルナジエン、５−ビニルノルボルナ−２−エン、α−ピネン、β−ピネン、リモネンなどのノボラック樹脂、ポリヒドロキシスチレン、ポリスチレン、ポリビニルナフタレン、ポリビニルアントラセン、ポリビニルカルバゾール、ポリインデン、ポリアセナフチレン、ポリノルボルネン、ポリシクロデセン、ポリテトラシクロドデセン、ポリノルトリシクレン、ポリ（メタ）アクリレート及びこれらの共重合体が挙げられる。また、特開２００４−２０５６５８号公報に記載のノルトリシクレン共重合体、特開２００４−２０５６７６号公報に記載の水素添加ナフトールノボラック樹脂、特開２００４−２０５６８５号公報に記載のナフトールジシクロペンタジエン共重合体、特開２００４−３５４５５４号公報、特開２００５−１０４３１号公報に記載のフェノールジシクロペンタジエン共重合体、特開２００５−１２８５０９号公報に記載のフルオレンビスフェノールノボラック、特開２００５−２５０４３４号公報に記載のアセナフチレン共重合、特開２００６−５３５４３号公報に記載のインデン共重合体、特開２００６−２２７３９１号公報に記載のフェノール基を有するフラーレン、特開２００６−２５９２４９号公報、特開２００６−２９３２９８号公報、特開２００７−３１６２８２号公報に記載のビスフェノール化合物及びこのノボラック樹脂、特開２００６−２５９４８２号公報に記載のジビスフェノール化合物及びこのノボラック樹脂、特開２００６−２８５０９５号公報に記載のアダマンタンフェノール化合物のノボラック樹脂、特開２００７−１７１８９５号公報に記載のヒドロキシビニルナフタレン共重合体、特開２０１０−１２２６５６号公報に記載のビスナフトール化合物及びこのノボラック樹脂、特開２００８−２６６００号公報に記載のＲＯＭＰ、特開２００８−９６６８４号公報に記載のトリシクロペンタジエン共重合物に示される樹脂化合物、特開２００６−２２７３９１号公報、特開２００８−１５８００２号公報に記載のフラーレン類樹脂化合物をブレンドすることもできる。上記ブレンド用化合物又はブレンド用ポリマーの配合量は、本発明の一般式（１）又は（２）で表されるナフタレン誘導体又は該ナフタレン誘導体を繰り返し単位の一部として含有する高分子化合物１００質量部に対して０〜１，０００質量部、好ましくは０〜５００質量部である。
【００７２】
反射防止膜機能を含むレジスト下層膜に要求される性能の一つとして、レジスト下層膜の上に形成される、珪素を含有するレジスト中間層及びレジスト上層膜とのインターミキシングがないこと、レジスト上層膜及びレジスト中間層膜ヘの低分子成分の拡散がないことが挙げられる（Ｐｒｏｃ．  ＳＰＩＥ  ｖｏｌ．２１９５、ｐ２２５−２２９（１９９４））。これらを防止するために、一般的に反射防止膜のスピンコート後のベークで熱架橋するという方法が採られている。そのため、反射防止膜材料の成分として架橋剤を添加する場合、ポリマーに架橋性の置換基を導入する方法が採られることがある。架橋剤を特に添加していない場合でも、本発明の一般式（１）又は（２）で表されるナフタレン誘導体又は該ナフタレン誘導体を繰り返し単位の一部として含有する高分子化合物の場合は、３００℃を超える加熱によって後述の反応機構によって架橋させることができる。
【００７３】
本発明のレジスト下層膜形成方法に用いられる本発明の上記一般式（１）又は（２）で表されるナフタレン誘導体又は該ナフタレン誘導体を繰り返し単位の一部として含有する高分子化合物は、耐熱性が非常に高いため、これを３００℃を超える高温でベークしても熱分解が殆ど起きない。更にこれらの化合物は、３００℃を超える高温ベークによって、溶媒等の蒸発が促進され、膜の炭素密度、緻密性が高くなる性質を持ち、エッチング耐性が向上することを見出した。このエッチング耐性向上には前述の脱水５員環形成反応による炭素密度向上も寄与しているものと考えられる。また、３００℃を超えるベークによって、高い耐溶媒性を有し、基板のエッチング中に発生するよれを防止できることを見出した。耐熱性の低い材料を、３００℃を超える高温でベークした場合は、熱分解が起きるために必ずしも炭素密度が高くなるとは限らず、むしろ劣化する場合もある。
【００７４】
本発明で使用可能な架橋剤は、特開２００８−６５３０３号公報中の（００７５）〜（００８０）段落に記載されている材料を添加することができる。
本発明においては、熱による架橋反応を更に促進させるための酸発生剤を添加することができる。酸発生剤は熱分解によって酸を発生するものや、光照射によって酸を発生するものがあるが、いずれのものも添加することができる。具体的には、特開２００８−６５３０３号公報中の（００８１）〜（０１１１）段落に記載されている材料を添加することができる。
【００７５】
更に、本発明のレジスト下層膜形成方法に用いるレジスト下層膜材料には、保存安定性を向上させるための塩基性化合物を配合することができる。塩基性化合物としては、酸発生剤より微量に発生した酸が架橋反応を進行させるのを防ぐための、酸に対するクエンチャーの役割を果たす。このような塩基性化合物としては、具体的には特開２００８−６５３０３号公報中の（０１１２）〜（０１１９）段落に記載されている材料を添加することができる。
【００７６】
本発明のパターン形成方法に用いる下層膜形成材料においてスピンコーティングにおける塗布性を向上させるために界面活性剤を添加することもできる。界面活性剤は、特開２００８−１１１１０３号公報中の（０１６５）〜（０１６６）段落に記載のものを用いることができる。
【００７７】
本発明のレジスト下層膜形成方法では、上記のレジスト下層膜材料を、フォトレジストと同様にスピンコート法などで被加工基板上にコーティングする。スピンコート法などを用いることで、良好な埋め込み特性を得ることができる。スピンコート後、溶媒を蒸発し、レジスト上層膜やレジスト中間層膜とのミキシング防止のため、架橋反応を促進させるためにベークを行う。ベークは１００℃を超え６００℃以下の範囲内で行い、１０〜６００秒、好ましくは１０〜３００秒の範囲内で行う。ベーク温度は、より好ましくは２５０℃以上５００℃以下である。デバイスダメージやウエハーの変形への影響を考えると、リソグラフィーのウエハープロセスでの加熱できる温度の上限は６００℃以下、好ましくは５００℃以下である。
【００７８】
前述のＳＰＩＥ  ｖｏｌ．４６９  ｐ７２（１９８４）に記載されるように、本発明のレジスト下層膜形成方法に用いられる本発明の一般式（１）又は（２）で表されるナフタレン誘導体又は該ナフタレン誘導体を繰り返し単位の一部として含有する高分子化合物は、加熱によってラジカルが生じ架橋反応が進行する。この反応はラジカル的反応なので、脱離する分子が生じないために耐熱性が高い材料であれば架橋による膜収縮は起こらない。
【００７９】
ベーク中の雰囲気としては空気中でも構わないが、酸素を低減させるためにＮ2、Ａｒ、Ｈｅ等の不活性ガスを封入しておくことは、レジスト下層膜の酸化を防止するために好ましい場合がある。酸化を防止するためには酸素濃度をコントロールする必要がある場合には、１，０００ｐｐｍ以下、より好ましくは１００ｐｐｍ以下である。ベーク中のレジスト下層膜の酸化を防止すると、吸収が増大したりエッチング耐性が低下したりすることがないため好ましい。反面、酸化的カップリングによる分子架橋を意図する場合には空気又は高酸素濃度の気体中でのベークが好ましい場合もある。
【００８０】
レジスト下層膜の厚さは適宜選定されるが、３０〜２０，０００ｎｍ、特に５０〜１５，０００ｎｍとすることが好ましい。レジスト下層膜を作製した後、三層プロセスの場合はその上に珪素を含有するレジスト中間層膜、珪素を含まないレジスト上層膜を形成することができる。
【００８１】
本発明のパターン形成方法は、本発明の上記一般式（１）又は（２）で表されるナフタレン誘導体又は該ナフタレン誘導体を繰り返し単位の一部として含有する高分子化合物を用いたレジスト下層膜材料を基板上にコーティングしてレジスト下層膜を形成し、そのレジスト下層膜の上にレジスト中間層膜を介してフォトレジスト組成物のレジスト上層膜を形成し、このレジスト上層膜の所用領域に放射線等を照射し、現像液で現像してレジストパターンを形成し、得られたレジストパターンをマスクにしてレジスト中間層膜をエッチングし、得られたレジスト中間層パターンをマスクにしてレジスト下層膜及び基板を加工するものである。
【００８２】
レジスト下層膜の上に無機ハードマスク中間層膜を形成する場合は、ＣＶＤ法やＡＬＤ法等で、珪素酸化膜、珪素窒化膜、又は珪素酸化窒化膜（ＳｉＯＮ膜）が形成される。窒化膜の形成方法としては、特開２００２−３３４８６９号公報、国際公開第２００４／０６６３７７号パンフレットに記載されている。無機ハードマスクの膜厚は５〜２００ｎｍ、好ましくは１０〜１００ｎｍであり、中でも反射防止膜としての効果が高いＳｉＯＮ膜が最も好ましく用いられる。ＳｉＯＮ膜を形成する時の基板温度は３００〜５００℃となるために、下層膜として３００〜５００℃の温度に耐える必要がある。本発明の一般式（１）で表されるナフタレン誘導体又は該ナフタレン誘導体を繰り返し単位の一部として含有する高分子化合物を用いたレジスト下層膜材料は、高い耐熱性を有しており３００〜５００℃の高温に耐えることができるため、ＣＶＤ法あるいはＡＬＤ法で形成された無機ハードマスクと、スピンコート法で形成されたレジスト下層膜の組み合わせが可能である。
【００８３】
このようなレジスト中間層膜の上にレジスト上層膜としてフォトレジスト膜を形成してもよいが、レジスト中間層膜の上に有機反射防止膜（ＢＡＲＣ）をスピンコートで形成して、その上にフォトレジスト膜を形成してもよい。レジスト中間層膜としてＳｉＯＮ膜を用いた場合、ＳｉＯＮ膜とＢＡＲＣ膜の二層の反射防止膜によって１．０を超える高ＮＡの液浸露光においても反射を抑えることが可能となる。ＢＡＲＣを形成するもう一つのメリットとしては、ＳｉＯＮ直上でのフォトレジストパターンの裾引きを低減させる効果があることである。
【００８４】
三層プロセスの珪素含有レジスト中間層膜としてはポリシルセスキオキサンベースの中間層も好ましく用いられる。レジスト中間層膜に反射防止膜として効果を持たせることによって、反射を抑えることができる。具体的には特開２００４−３１００１９号公報、特開２００５−１５７７９号公報、特開２００５−１８０５４号公報、特開２００５−３５２１０４号公報、特開２００７−６５１６１号公報、特開２００７−１６３８４６号公報、特開２００７−２２６１７０号公報、特開２００７−２２６２０４号公報に示されるシルセスキオキサンベースの珪素化合物を含む材料が挙げられる。特に１９３ｎｍ露光用としては、レジスト下層膜として芳香族基を多く含み基板エッチング耐性が高い材料を用いると、ｋ値が高くなり、基板反射が高くなるが、レジスト中間層膜で反射を抑えることによって基板反射を０．５％以下にすることができる。反射防止効果があるレジスト中間層膜としては、２４８ｎｍ、１５７ｎｍ露光用としてはアントラセン、１９３ｎｍ露光用としてはフェニル基又は珪素−珪素結合を有する吸光基をペンダントし、酸あるいは熱で架橋するポリシルセスキオキサンが好ましく用いられる。なお、レジスト中間層膜の厚さは、７〜２００ｎｍが好ましい。
【００８５】
ＣＶＤ法よりもスピンコート法による珪素含有レジスト中間層膜の形成の方が簡便でコスト的なメリットがある。
【００８６】
三層レジスト膜におけるレジスト上層膜は、ポジ型でもネガ型でもどちらでもよく、通常用いられているフォトレジスト組成物と同じものを用いることができる。上記フォトレジスト組成物により単層レジスト上層膜を形成する場合、上記レジスト下層膜を形成する場合と同様に、スピンコート法が好ましく用いられる。フォトレジスト組成物をスピンコート後、プリベークを行うが、６０〜１８０℃で１０〜３００秒の範囲が好ましい。その後常法に従い、露光を行い、ポストエクスポジュアーベーク（ＰＥＢ）、現像を行い、レジストパターンを得る。なお、レジスト上層膜の厚さは特に制限されないが、３０〜５００ｎｍ、特に５０〜４００ｎｍが好ましい。
また、露光光としては、波長３００ｎｍ以下の高エネルギー線、具体的には２４８ｎｍ、１９３ｎｍ、１５７ｎｍのエキシマレーザー、３〜２０ｎｍの軟Ｘ線、電子ビーム、Ｘ線等を挙げることができる。
【００８７】
次に、得られたレジストパターンをマスクにしてエッチングを行う。三層プロセスにおけるレジスト中間層膜、特に無機ハードマスクのエッチングは、フロン系のガスを用いてレジストパターンをマスクにして行う。次いでレジスト中間層膜パターン、特に無機ハードマスクパターンをマスクにして酸素ガス又は水素ガスを用いてレジスト下層膜のエッチング加工を行う。
【００８８】
次の被加工基板のエッチングも、常法によって行うことができ、例えば基板がＳｉＯ2、ＳｉＮ、シリカ系低誘電率絶縁膜であればフロン系ガスを主体としたエッチング、ｐ−ＳｉやＡｌ、Ｗでは塩素系、臭素系ガスを主体としたエッチングを行う。基板加工をフロン系ガスでエッチングした場合、三層プロセスの珪素含有中間層は基板加工と同時に剥離される。塩素系、臭素系ガスで基板をエッチングした場合は、珪素含有中間層の剥離は基板加工後にフロン系ガスによるドライエッチング剥離を別途行う必要がある。
【００８９】
本発明のレジスト下層膜形成方法で形成したレジスト下層膜は、これら被加工基板のエッチング耐性に優れる特徴がある。なお、被加工基板としては、被加工層が基板上に成膜される。基板としては、特に限定されるものではなく、Ｓｉ、α−Ｓｉ、ｐ−Ｓｉ、ＳｉＯ2、ＳｉＮ、ＳｉＯＮ、Ｗ、ＴｉＮ、Ａｌ等で被加工層と異なる材質のものが用いられる。被加工層としては、Ｓｉ、ＳｉＯ2、ＳｉＯＮ、ＳｉＮ、ｐ−Ｓｉ、α−Ｓｉ、Ｗ、Ｗ−Ｓｉ、Ａｌ、Ｃｕ、Ａｌ−Ｓｉ等種々のＬｏｗ−ｋ膜及びそのストッパー膜が用いられ、通常５０〜１０，０００ｎｍ、特に１００〜５，０００ｎｍ厚さに形成し得る。
【００９０】
三層プロセスの一例について図１を用いて具体的に示すと下記の通りである。
三層プロセスの場合、図１（Ａ）に示したように、基板１の上に積層された被加工層２上に本発明によりレジスト下層膜３を形成した後、レジスト中間層膜４を形成し、その上にレジスト上層膜５を形成する。次いで、図１（Ｂ）に示したように、レジスト上層膜の所用部分６を露光し、ＰＥＢ及び現像を行ってレジストパターン５ａを形成する（図１（Ｃ））。この得られたレジストパターン５ａをマスクとし、ＣＦ系ガスを用いてレジスト中間層膜４をエッチング加工してレジスト中間層膜パターン４ａを形成する（図１（Ｄ））。レジストパターン５ａを除去後、この得られたレジスト中間層膜パターン４ａをマスクとしてレジスト下層膜３を酸素プラズマエッチングし、レジスト下層膜パターン３ａを形成する（図１（Ｅ））。更にレジスト中間層膜パターン４ａを除去後、レジスト下層膜パターン３ａをマスクに被加工層２をエッチング加工して、基板にパターン２ａを形成するものである（図１（Ｆ））。
無機ハードマスク中間層膜を用いる場合、レジスト中間層膜４が無機ハードマスク中間層膜であり、ＢＡＲＣを敷く場合はレジスト中間層膜４とレジスト上層膜５との間にＢＡＲＣ層を設ける。ＢＡＲＣのエッチングはレジスト中間層膜４のエッチングに先立って連続して行われる場合もあるし、ＢＡＲＣだけのエッチングを行ってからエッチング装置を変えるなどしてレジスト中間層膜４のエッチングを行うことができる。
【実施例】
【００９１】
以下、合成例、実施例及び比較例を示し、本発明を具体的に説明するが、本発明は下記の実施例に制限されるものではない。
なお、分子量の測定法は具体的に下記の方法により行った。ゲルパーミエーションクロマトグラフィー（ＧＰＣ）によるポリスチレン換算の重量平均分子量（Ｍｗ）、数平均分子量（Ｍｎ）を求め、分散度（Ｍｗ／Ｍｎ）を求めた。
【００９２】
［合成例１］ナフタレン誘導体（Ｉ）の合成
【化２１】
0005556773.tif 000022
【００９３】
（１−１）
１，１’−ビ−２，２’−ナフトール１５．９ｇ（５．６ｍｍｏｌ）、９−フルオレノン１０．０ｇ（５．６ｍｍｏｌ）、１，２−ジクロロエタン１２５ｍｌを３つ口フラスコに加え、オイルバス中で溶解させた。溶解を確認後、３−メルカプトプロピオン酸０．３ｍｌ、メタンスルホン酸３．０ｍｌを滴下し、還流下で１０時間反応を行った。反応終了後、酢酸エチル３００ｍｌで希釈後、分液ロートに移し、水洗分液を行った。水洗を繰り返し、水層が中性になったのを確認後、有機層を減圧濃縮し、残渣にテトラヒドロフラン（ＴＨＦ）１００ｍｌを加え、ヘキサン１，３００ｍｌでポリマーを晶出した。晶出したポリマーを濾別し、減圧乾燥することでナフタレン誘導体（Ｉ）を得た。
【００９４】
ナフタレン誘導体（Ｉ）
Ｍｗ＝３，０１３、Ｍｗ／Ｍｎ＝１．５７。
ＩＲ（ＫＢｒ）νｍａｘ＝３５２９、３０６０、２９６９、１９１２、１６２０、１５９６、１５００、１４７４、１４４７、１３８３、１３４３、１２７６、１２１７、１１４７ｃｍ-1。
ｎ＝〜６．０８（Ｍｗから算出）、〜４．８７（1Ｈ−ＮＭＲから算出）。
ＴＧ−ＤＴＡ（Ａｉｒ；３０→５００℃）：−２３．０２％、
ＴＧ−ＤＴＡ（Ｈｅ；３０→５００℃）：−１９．９４％。
【００９５】
［合成例２］ナフタレン誘導体（ＩＩ）の合成
【化２２】
0005556773.tif 000023
（式中、二つの括弧右下のｘ，ｙはそれぞれの部分構造の割合を表す。）
【００９６】
（１−２）
１，１’−ビ−２，２’−ナフトール７．９ｇ（２．８ｍｍｏｌ）、２，２’−ジナフチルエーテル７．５ｇ（２．８ｍｍｏｌ）、９−フルオレノン１０．０ｇ（５．６ｍｍｏｌ）、１，２−ジクロロエタン６０ｍｌを３つ口フラスコに加え、オイルバス中で溶解させた。溶解を確認後、３−メルカプトプロピオン酸０．３ｍｌ、メタンスルホン酸３．０ｍｌを滴下し、還流下で１１時間反応を行った。反応終了後、メチルイソブチルケトン１００ｍｌ、トルエン１００ｍｌで希釈後、分液ロートに移し、水洗分液を行った。水洗を繰り返し、水層が中性になったのを確認後、有機層を減圧濃縮し、残渣にＴＨＦ１４０ｍｌを加え、ヘキサン１，５００ｍｌでポリマーを晶出した。晶出したポリマーを濾別し、減圧乾燥することでナフタレン誘導体（ＩＩ）を得た。
【００９７】
ナフタレン誘導体（ＩＩ）
Ｍｗ＝７，３８４、Ｍｗ／Ｍｎ＝２．８９。
ＩＲ（ＫＢｒ）νｍａｘ＝３５３７、３０５８、１６２５、１５９６、１５０１、１４７３、１４４７、１３８４、１３５４、１２５５、１２１８、１１６３ｃｍ-1。
ｘ＝〜４１．２、ｙ＝〜５８．８（13Ｃ−ＮＭＲから算出）。
ＴＧ−ＤＴＡ（Ａｉｒ；３０→５００℃）：−１７．５８％、
ＴＧ−ＤＴＡ（Ｈｅ；３０→５００℃）：−１４．０１％。
【００９８】
［合成例３］ナフタレン誘導体（ＩＩＩ）の合成
【化２３】
0005556773.tif 000024
【００９９】
（１−３）
１，１’−ビ−２，２’−ナフトール２４．８７ｇ（８６．８ｍｍｏｌ）、９−ベンゾ［ｂ］フルオレノン２０．０ｇ（８６．８ｍｍｏｌ）、１，２−ジクロロエタン１２０ｍｌを３つ口フラスコに加え、オイルバス中で溶解させた。溶解を確認後、３−メルカプトプロピオン酸０．６０ｍｌ、メタンスルホン酸６．０ｍｌを滴下し、還流下で１４時間反応を行った。反応終了後、酢酸エチル５００ｍｌで希釈し、分液ロートに移し替え、水洗分液を行った。水洗を繰り返して水層が中性になったのを確認後、減圧濃縮した。残渣にＴＨＦ２００ｍｌを加え、ヘキサン１，５００ｍｌでポリマーを晶出した。晶出したポリマーを濾別し、減圧乾燥することでナフタレン誘導体（ＩＩＩ）を得た。
【０１００】
ナフタレン誘導体（ＩＩＩ）
Ｍｗ＝３，４２８、Ｍｗ／Ｍｎ＝１．６７。
ＩＲ（ＫＢｒ）νｍａｘ＝３５３４、３０６４、２９６４、１９１６、１６２１、１５９５、１５０２、１４７８、１４４４、１３８２、１３４３、１２７５、１２１７、１１４６ｃｍ-1。
ｎ＝〜６．３４（Ｍｗから算出）、〜５．８７（1Ｈ−ＮＭＲから算出）。
ＴＧ−ＤＴＡ（Ａｉｒ；３０→５００℃）：−２０．３８％、
ＴＧ−ＤＴＡ（Ｈｅ；３０→５００℃）：−１７．４１％。
【０１０１】
［比較合成例１］ｐｏｌｙｍｅｒ７の合成
【化２４】
0005556773.tif 000025
【０１０２】
ビス６，６’−（９−フルオレニリデン）２，２’−ジナフトール１１２．６３ｇ（２５０ｍｍｏｌ）、ジ−ｕ−ヒドロキソ−ビス［（Ｎ，Ｎ，Ｎ’，Ｎ’−テトラメチルエチレンジアミン）銅（ＩＩ）］クロリド１．１６ｇ（２．５ｍｍｏｌ）をフラスコに加え、２−メトキシエタノール１，２５０ｍｌで溶解させた。室温、大気開放系で５２時間反応を行い、１規定塩酸水溶液１，０００ｍｌで反応を停止した。メチルエチルケトン３６００ｍｌ、トルエン１，０５０ｍｌで抽出し、水洗分液を繰り返し行い、水層が中性になったのを確認後、減圧濃縮し、減圧乾燥することでｐｏｌｙｍｅｒ７を得た。
【０１０３】
ｐｏｌｙｍｅｒ７
Ｍｗ＝３，０７３、Ｍｗ／Ｍｎ＝１．６６。
ｎ＝〜６．６８（Ｍｗから算出）。
【０１０４】
表１−１に示すように合成例１〜３で得られたナフトール誘導体Ｉ〜ＩＩＩのそれぞれをＰｏｌｙｍｅｒ１〜３とし、更に表１−２に示すようにＡｄｄｉｔｉｖｅ１及び２、ＸＬ１で示される架橋剤、ＴＡＧ１で示される熱酸発生剤、更に表１−３に示される比較例Ｐｏｌｙｍｅｒ４〜６、比較合成例１で得られた比較例ｐｏｌｙｍｅｒ７を界面活性剤ＦＣ−４４３０（住友スリーエム（株）製）を含む溶媒中に溶解させ、０．１μｍのフッ素樹脂製のフィルターで濾過することによって表２に示す下層膜材料を調製した。
【０１０５】
【表１−１】
0005556773.tif 000026
【０１０６】
【表１−２】
0005556773.tif 000027
【０１０７】
【表１−３】
0005556773.tif 000028
【０１０８】
【表２】
0005556773.tif 000029
ＰＧＭＥＡ：プロピレングリコールモノメチルエーテルアセテート
ＥｙＬ：エチルラクテート
【０１０９】
（屈折率測定）
上記のように調製したレジスト下層膜溶液をシリコン基板上に塗布して、表３に示す温度で６０秒間ベークし、それぞれ膜厚２００ｎｍの下層膜を形成した。その後、Ｊ．Ａ．ウーラム社の入射角度可変の分光エリプソメーター（ＶＡＳＥ）で波長１９３ｎｍにおけるＵＤＬ−１〜１５、比較例ＵＤＬ−１６〜２２の屈折率（ｎ，ｋ）を求め、結果を表２に併せて示す。
【０１１０】
（溶媒耐性測定；溶媒処理による膜の減少量）
［実施例１〜１８、比較例１〜７］
ＵＤＬ−１〜１５、比較例ＵＤＬ−１６〜２２をシリコン基板上に塗布して、空気雰囲気下、表３に示す温度でそれぞれ６０秒間ベークした。その後、膜厚を測定し、その上にＰＧＭＥＡ（プロピレングリコールモノメチルエーテルアセテート）をディスペンスし、３０秒間放置し、スピンドライ、１００℃で６０秒間ベークしてＰＧＭＥＡを蒸発させ、膜厚を測定してＰＧＭＥＡ処理前後の膜厚差を求めた。結果を表３に示した。
【０１１１】
（ＣＦ4／ＣＨＦ3系ガスでのエッチング試験）
ＵＤＬ−１〜１５、比較例ＵＤＬ−１６〜２２をシリコン基板上に塗布して、空気雰囲気下、表３に示す温度でそれぞれ６０秒間ベークした。それぞれ膜厚３５０ｎｍの下層膜を形成し、下記条件でＣＦ4／ＣＨＦ3系ガスでのエッチング試験を行った。この場合、東京エレクトロン（株）製ドライエッチング装置ＴＥ−８５００を用い、エッチング前後のポリマー膜の膜厚差を求めた。結果を表３に併せて示す。
【０１１２】
エッチング条件は下記に示す通りである。
チャンバー圧力                      ４０．０Ｐａ
ＲＦパワー                          １，０００Ｗ
ＣＨＦ3ガス流量                 １０ｍｌ／ｍｉｎ
ＣＦ4ガス流量                 １００ｍｌ／ｍｉｎ
Ｈｅガス流量                  ２００ｍｌ／ｍｉｎ
時間                                  ２０ｓｅｃ
【０１１３】
表３において、比較例１のＣＦ4／ＣＨＦ3系ガスでのエッチングによって減少した膜厚を１００としたときの実施例、比較例のそれぞれの膜減少を比率として表した。その比率が小さいほど、エッチング耐性に優れることが分かる。
【０１１４】
（Ｏ2系ガスでのエッチング試験）
上記と同様にＵＤＬ−１〜１５、比較例ＵＤＬ−１６〜２２をシリコン基板上に塗布して、空気雰囲気下、表３に示す温度でそれぞれ６０秒間ベークした。それぞれ膜厚３５０ｎｍの下層膜を形成し、下記条件でＯ2系ガスでのエッチング試験を行った。この場合、東京エレクトロン（株）製ドライエッチング装置ＴＥ−８５００を用い、エッチング前後のポリマー膜の膜厚差を求めた。結果を表３に併せて示す。
エッチング条件は下記に示す通りである。
チャンバー圧力                      ４０．０Ｐａ
ＲＦパワー                              １００Ｗ
Ｏ2ガス流量                     ３０ｍｌ／ｍｉｎ
Ｎ2ガス流量                     ７０ｍｌ／ｍｉｎ
時間                                  ６０ｓｅｃ
【０１１５】
上記と同様に、表３において、比較例１のＯ2系ガスでのエッチングによって減少した膜厚を１００としたときの実施例、比較例のそれぞれの膜減少を比率として表した。その比率が小さいほど、エッチング耐性に優れることが分かる。
【０１１６】
【表３】
0005556773.tif 000030
【０１１７】
（珪素含有下層膜上中間膜溶液の調製）
下記式で示される珪素を含有する中間層用ポリマーをＦＣ−４４３０（住友スリーエム（株）製）０．１質量％を含む溶媒ＰＧＭＥＡ（プロピレングリコールモノメチルエーテルアセテート）中に珪素含有ポリマー２．０質量部、溶媒１００質量部の割合で溶解させ、０．１μｍのフッ素樹脂製のフィルターで濾過することによって、上記例示した下層膜上へ塗布する珪素含有中間膜溶液を調製した。このように調製した珪素含有中間層溶液（以下、中間膜をＳｉＬ−１と表記する。）。
【化２５】
0005556773.tif 000031
【０１１８】
（レジスト上層材料の調製及び液浸保護膜の調製）
レジスト上層膜材料としては、表４に示す組成の樹脂、酸発生剤、塩基性化合物をＦＣ−４４３０（住友スリーエム（株）製）０．１質量％を含む溶媒中に溶解させ、０．１μｍのフッ素樹脂製のフィルターで濾過することによって調製した。表４中において、レジスト上層材料をＡｒＦ用ＳＬレジストと表記した。
【表４】
0005556773.tif 000032
表４中、ＡｒＦ単層レジストポリマー、ＰＡＧ１、ＴＭＭＥＡは下記のものを用いた。
【化２６】
0005556773.tif 000033
【０１１９】
液浸保護膜（ＴＣ−１）としては、表５に示す組成の樹脂を溶媒中に溶解させ、０．１μｍのフッ素樹脂製のフィルターで濾過することによって調製した。
【表５】
0005556773.tif 000034
表５中、保護膜ポリマーは下記のものを用いた。
【化２７】
0005556773.tif 000035
【０１２０】
（パターンエッチング試験）
［実施例１９〜３３、比較例８〜１４］
（下層膜の成膜）
下層膜材料（ＵＤＬ−１〜１５、比較例ＵＤＬ−１６〜２２）を、膜厚２００ｎｍのＳｉＯ2膜が形成された直径３００ｍｍＳｉウエハー基板上に塗布して、後述する表６中、実施例１９〜３３、比較例８〜１４に示すようなベーク条件でベークして膜厚２００ｎｍのレジスト下層膜を形成した。なお、レジスト下層膜のベーク雰囲気は空気雰囲気下で行った。
【０１２１】
（珪素含有レジスト中間層材料（ＳｉＬ−１）の成膜）
その上に上記、珪素含有レジスト中間層材料（ＳｉＬ−１）を塗布して２００℃で６０秒間ベークして膜厚３５ｎｍのレジスト中間層膜を形成した。
【０１２２】
（レジスト上層膜材料（ＡｒＦ用ＳＬレジスト）及び保護膜の形成）
レジスト上層膜材料（ＡｒＦ用ＳＬレジスト溶液）を、後述する表６中、実施例１９〜３３、比較例８〜１４で示す下層膜上に塗布し、１０５℃で６０秒間ベークして膜厚１００ｎｍのレジスト上層膜を形成した。レジスト上層膜に液浸保護膜（ＴＣ−１）を塗布し、９０℃で６０秒間ベークして膜厚５０ｎｍの保護膜を形成した。
【０１２３】
（液浸露光にパターニング）
次いで、ＡｒＦ液浸露光装置（（株）ニコン製；ＮＳＲ−Ｓ６１０Ｃ，ＮＡ１．３０、σ０．９８／０．６５、３５度ダイポール偏光照明、６％ハーフトーン位相シフトマスク）で露光し、１００℃で６０秒間ベーク（ＰＥＢ）し、２．３８質量％テトラメチルアンモニウムヒドロキシド（ＴＭＡＨ）水溶液で３０秒間現像し、４３ｎｍ１：１のポジ型のラインアンドスペースパターンを得た。
【０１２４】
（パターニング後のエッチング試験）
次いで、東京エレクトロン（株）製エッチング装置Ｔｅｌｉｕｓを用いてドライエッチングによるレジストパターンをマスクにして珪素含有レジスト中間層膜（ＳＯＧ）の加工、珪素含有レジスト中間層膜をマスクにしてレジスト下層膜、得られたレジスト下層膜パターンをマスクにしてＳｉＯ2膜の加工を行った。エッチング条件は下記に示す通りである。
【０１２５】
レジストパターンのレジスト珪素含有中間層膜への転写条件。
チャンバー圧力                      １０．０Ｐａ
ＲＦパワー                          １，５００Ｗ
ＣＦ4ガス流量                   ７５ｍｌ／ｍｉｎ
Ｏ2ガス流量                     １５ｍｌ／ｍｉｎ
時間                                  １５ｓｅｃ
【０１２６】
珪素含有中間膜パターンの下層膜への転写条件。
チャンバー圧力                        ２．０Ｐａ
ＲＦパワー                              ５００Ｗ
Ａｒガス流量                    ７５ｍｌ／ｍｉｎ
Ｏ2ガス流量                     ４５ｍｌ／ｍｉｎ
時間                                １２０ｓｅｃ
【０１２７】
レジスト下層膜パターンのＳｉＯ2膜への転写条件。
チャンバー圧力                        ２．０Ｐａ
ＲＦパワー                          ２，２００Ｗ
Ｃ5Ｆ12ガス流量                 ２０ｍｌ／ｍｉｎ
Ｃ2Ｆ6ガス流量                  １０ｍｌ／ｍｉｎ
Ａｒガス流量                  ３００ｍｌ／ｍｉｎ
Ｏ2                             ６０ｍｌ／ｍｉｎ
時間                                  ９０ｓｅｃ
【０１２８】
それぞれのパターン断面を（株）日立製作所製電子顕微鏡（Ｓ−４７００）にて観察し、形状を比較し、表６にまとめた。
【表６】
0005556773.tif 000036
【０１２９】
（段差基板埋め込み特性）
［実施例３４〜３６、比較例１５，１６］
Ｓｉ基板上に厚み５００ｎｍで直径が１６０ｎｍの密集ホールパターンが形成されているＳｉＯ2段差基板上に、平坦な基板上で２００ｎｍの膜厚になるよう調製されたＵＤＬ−１，４，７と比較例ＵＤＬ−１６，１７を塗布し、３５０℃で６０秒間ベークした。基板を割断し、ホールの底まで膜が埋め込まれているかどうかをＳＥＭで観察した。結果を表７に示す。
【０１３０】
【表７】
0005556773.tif 000037
【０１３１】
（アウトガス測定）
［実施例３７〜３９、比較例１７，１８］
ＵＤＬ−１，４，７と比較例ＵＤＬ−１６，１７をＳｉ基板上の塗布し、３５０℃で６０秒間ベークし、膜厚２００ｎｍの下層膜を形成できる条件で、３５０℃ベーク中にホットプレートオーブン中に発生するパーティクルをリオン（株）製パーティクルカウンターＫＲ−１１Ａを用いて０．３μｍと０．５μｍサイズのパーティクル数を測定した。結果を表８に示す。
【０１３２】
【表８】
0005556773.tif 000038
【０１３３】
表２に示されるように、本発明のレジスト下層膜形成方法で形成したレジスト下層膜は、液浸リソグラフィー用の３層プロセスのレジスト下層膜としても実用に適する屈折率を有している。
【０１３４】
表３に示すように、本発明のように３５０℃を超える温度でベークして形成すると、溶媒に不溶のレジスト下層膜が形成された（実施例１〜１２）。
また、表３に示すように、熱酸発生剤ＴＡＧ１、架橋剤ＸＬ１を用いた場合、低温のベークが可能となり、溶媒に不溶のレジスト下層膜が形成された（実施例１３〜１８）。
表３に示すように、本発明の方法で形成したレジスト下層膜のＣＦ4／ＣＨＦ3ガスエッチングの速度、並びにＯ2ガスエッチングの速度は、比較例１〜７（比較例ＵＤＬ−１６〜２２）よりもエッチング速度が遅く、非常に高いエッチング耐性を有する。
【０１３５】
表６に示すように、本発明の方法で形成したレジスト下層膜は、現像後のレジスト形状、酸素エッチング後、基板加工エッチング後の下層膜の形状が良好で、パターンのよれの発生も見られなかった（実施例１９〜３３）。
【０１３６】
表７に示すように、比較例１５においては埋め込み不良が発見された。一方、モノマー（化合物）Ａｄｄｉｔｉｖｅ１、Ａｄｄｉｔｉｖｅ２をレジスト下層膜材料に添加することで、埋め込み特性が更に改善された。しかし、モノマーを添加すると、表８の比較例１７，１８に示すように、ベーク中にパーティクルが発生し、ホットプレートのオーブンを汚染する。本発明のナフタレン誘導体を含有したレジスト下層膜材料を用いて形成したレジスト下層膜は、モノマーのような低分子を多く添加してもパーティクルの発生がなく、埋め込み特性とパーティクル防止の両方の特性を同時に達成することができる。
【０１３７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。
【符号の説明】
【０１３８】
１  基板
２  被加工層
３  レジスト下層膜
４  レジスト中間層膜
５  レジスト上層膜
６  所用（露光）部分
５ａ  レジストパターン
４ａ  レジスト中間層膜パターン
３ａ  レジスト下層膜パターン
２ａ  パターン
【図１】
0005556773.tif 000049
【図２】
0005556773.tif 000050
【図３】
0005556773.tif 000051
【図４】
0005556773.tif 000052
【図５】
0005556773.tif 000053
【図６】
0005556773.tif 000054